(57)【要約】【課題】鏡の前に存在するユーザが、表示装置に対して所定の処理の実行を希望する場合に、表示装置に当該処理を実行させる。【解決手段】表示装置（１）は、ハーフミラー（１２）の前に存在するユーザが所定の状態を所定時間継続していることを検出する状態判定部（１４１）と、所定の状態が所定時間継続していることが検出されたとき、所定の状態に予め対応付けられた所定の処理を実行する表示制御部（１４２）と、を備える。【選択図】図１
2016161835.tif 000002
【特許請求の範囲】
【請求項１】
反射面側からの光を反射し、透過面側からの光を透過するハーフミラー部を、上記透過面が表示面に対向するように、表示面上に重ねて配置した表示装置において、
上記ハーフミラー部の前に存在するユーザが所定の状態を所定時間継続していることを検出する検出部と、
上記検出部が、上記所定の状態が上記所定時間継続していることを検出したとき、上記所定の状態に予め対応付けられた所定の処理を実行する処理実行部と、を備えることを特徴とする表示装置。
【請求項２】
上記ユーザが上記所定の状態を継続していることおよび継続していないことの少なくとも一方を該ユーザに報知する報知部をさらに備えることを特徴とする請求項１に記載の表示装置。
【請求項３】
上記報知部は、上記ユーザが上記状態を継続していることを報知している場合、上記所定時間に達するまでに上記ユーザが上記所定の状態を継続すべき残り時間を報知することを特徴とする請求項２に記載の表示装置。
【請求項４】
上記報知部は、上記ユーザが上記所定の状態を継続していることを示す情報および継続していないことを示す情報の少なくとも一方を上記表示面に表示することを特徴とする請求項２または３に記載の表示装置。
【請求項５】
上記所定の処理は、上記表示面への所定の情報の表示を開始する処理、または上記表示面への所定の情報の表示を終了する処理であることを特徴とする請求項１から４のいずれか１項に記載の表示装置。
【請求項６】
上記検出部は、上記ユーザを撮影した映像から、該ユーザが上記所定の状態を継続していることを検出し、
上記映像を用いて上記ユーザを特定するユーザ特定部をさらに備えることを特徴とする請求項１から５のいずれか１項に記載の表示装置。
【請求項７】
上記所定の状態は、ユーザが全身または体の所定部位を静止させた静止状態であり、
上記所定時間中に上記ユーザのバイタルデータを測定する測定部をさらに備えることを特徴とする請求項１から６のいずれか１項に記載の表示装置。
【請求項８】
上記所定の状態は、上記ハーフミラー部の表面の所定の位置に目線が向いている状態であることを特徴とする請求項１から６のいずれか１項に記載の表示装置。
【請求項９】
自装置を使用するユーザが属するグループの各メンバーの情報を上記表示面に表示するメンバー情報表示部を備えることを特徴とする請求項１から８のいずれか１項に記載の表示装置。
【請求項１０】
上記メンバー情報表示部は、上記検出部が、上記グループに属するメンバーが上記ハーフミラー部の前で上記所定の状態を所定時間継続していることを検出したとき、上記グループの各メンバーの情報を表示することを特徴とする請求項９に記載の表示装置。
【請求項１１】
請求項１に記載の表示装置としてコンピュータを機能させるための制御プログラムであって、上記検出部および上記処理実行部としてコンピュータを機能させるための制御プログラム。
【請求項１２】
反射面側からの光を反射し、透過面側からの光を透過するハーフミラー部を、上記透過面が表示面に対向するように、表示面上に重ねて配置した表示装置の制御方法において、
上記ハーフミラー部の前に存在するユーザが所定の状態を所定時間継続していることを検出する検出ステップと、
上記検出ステップにて、上記所定の状態が上記所定時間継続していることを検出したとき、上記所定の状態に予め対応付けられた所定の処理を実行する処理実行ステップと、を含むことを特徴とする表示装置の制御方法。
【発明の詳細な説明】
【技術分野】
【０００１】
本発明は、表示面にハーフミラーを備えた、ミラー機能付きの表示装置などに関する。
【背景技術】
【０００２】
表示面において、ハーフミラーを備えた、ミラー機能付きの表示装置が知られている。例えば、特許文献１には、使用者が鏡面ディスプレイの正面に立ったとき、当該使用者を撮影することで、当該使用者を含む画像データを取得する画像表示装置が開示されている。この画像表示装置はさらに、取得した画像データと過去に取得した画像データとを比較し、その結果を表示する。
【０００３】
また特許文献２には、使用者がミラー部に対して所定距離にある所定位置に位置したことを検知したとき、使用者の顔を撮影する健康管理システムが開示されている。この健康管理システムはさらに、取得した顔画像情報から使用者の顔の肌状態を分析し、分析結果を通知する。さらに特許文献３には、撮影に適した位置に利用者を誘導する指標をミラー本体に表示するカメラ付きミラー装置が開示されている。
【先行技術文献】
【特許文献】
【０００４】
【特許文献１】特開２００９−５３３２８号公報（２００９年３月１２日公開）
【特許文献２】特開２００９−１５３６０９号公報（２００９年７月１６日公開）
【特許文献３】特開２０１３−１４５３２３号公報（２０１３年７月２５日公開）
【発明の概要】
【発明が解決しようとする課題】
【０００５】
ところで、特許文献１〜３に開示された技術では、撮影した画像に基づく分析結果や、利用者を誘導するための指標が、ユーザの鏡像とともに表示される。しかしながら、ユーザがただ単に自身の姿を鏡に映したい場合には、これらの表示が邪魔になってしまう。また、特許文献１〜３に開示された技術では、これらの表示が自動的に行われるため、ユーザが表示を希望しない場合でも、上述した分析結果や指標が表示されてしまう。つまり、上述したような従来技術では、ユーザが表示処理などの処理の実行を希望しないときでも、自動的に当該処理が実行されてしまうという問題がある。
【０００６】
本発明は上記の課題を解決するためになされたものであり、その目的は、自装置が備える鏡の前に存在するユーザが、自装置に対して所定の処理の実行を希望する場合に当該処理を実行する表示装置などを提供することにある。
【課題を解決するための手段】
【０００７】
上記の課題を解決するために、本発明の一態様に係る表示装置は、反射面側からの光を反射し、透過面側からの光を透過するハーフミラー部を、上記透過面が表示面に対向するように、表示面上に重ねて配置した表示装置において、上記ハーフミラー部の前に存在するユーザが所定の状態を所定時間継続していることを検出する検出部と、上記検出部が、上記所定の状態が上記所定時間継続していることを検出したとき、上記所定の状態に予め対応付けられた所定の処理を実行する処理実行部と、を備える。
【０００８】
また、上記の課題を解決するために、本発明の一態様に係る表示装置の制御方法は、反射面側からの光を反射し、透過面側からの光を透過するハーフミラー部を、上記透過面が表示面に対向するように、表示面上に重ねて配置した表示装置の制御方法において、上記ハーフミラー部の前に存在するユーザが所定の状態を所定時間継続していることを検出する検出ステップと、上記検出ステップにて、上記所定の状態が上記所定時間継続していることを検出したとき、上記所定の状態に予め対応付けられた所定の処理を実行する処理実行ステップと、を含む。
【発明の効果】
【０００９】
本発明の一態様によれば、表示装置が備える鏡の前に存在するユーザが、表示装置に対して所定の処理の実行を希望する場合に、表示装置に当該処理を実行させることができるという効果を奏する。
【図面の簡単な説明】
【００１０】
【図１】実施形態１に係る表示装置の要部構成の一例を示すブロック図である。
【図２】図１に示す表示装置の外観構成の一例を示す図である。
【図３】図１に示す表示装置の動作概要の一例を示す遷移図である。
【図４】図１に示す表示装置が実行する画面表示処理の流れの一例を示すフローチャートである。
【図５】実施形態２に係る表示装置の動作概要の一例を示す遷移図である。
【図６】図５に示す表示装置が実行する画面表示終了処理の流れの一例を示すフローチャートである。
【図７】実施形態３に係る表示装置の動作概要の一例を示す遷移図である。
【図８】図７に示す表示装置が実行する撮影処理の流れの一例を示すフローチャートである。
【図９】実施形態４に係る表示装置が実行する画面表示終了処理の流れの一例を示すフローチャートである。
【図１０】（ａ）は、実施形態５に係る表示装置において、ユーザが画像表示モードを有効にするために鏡像を映しこむべき位置を示す模式図であり、（ｂ）は、ユーザが図１０の（ａ）に示す位置に鏡像が映るように立ったときに、実施形態５に係る表示装置のカメラによって撮影された撮影映像にユーザが映るべき位置として予め設定される領域を示す模式図である。
【図１１】実施形態６に係る表示装置の要部構成の一例を示すブロック図である。
【図１２】図１１に示す表示装置が実行する画面表示処理の流れの一例を示すフローチャートである。
【図１３】実施形態７に係る表示装置に表示される画面例を示す模式図である。
【図１４】実施形態８に係るヘルスケア見守りシステムに含まれる表示装置およびサーバの要部構成の一例を示すブロック図である。
【図１５】図１４に示す表示装置が表示するトップ画面の一例を示す図である。
【図１６】図１４に示す表示装置が表示する測定詳細画面および定点比較画面の一例を示す図である。
【図１７】図１４に示す表示装置が実行する画面表示処理の流れの一例を示すフローチャートである。
【図１８】上記表示装置として利用可能なコンピュータの構成を例示したブロック図である。
【発明を実施するための形態】
【００１１】
〔実施形態１〕
本発明の一実施形態について、図１〜図４に基づいて説明すれば以下のとおりである。
【００１２】
（表示装置１の外観構成）
まず、図２を参照して、表示装置１の外観構成について説明する。図２は、表示装置１の外観構成の一例を示す図である。
【００１３】
表示装置１は、自装置の表示部１１（図１参照）の表示面上に重ねて配置されたハーフミラー１２（ハーフミラー部）を備える。また表示装置１は、図２に示すように、ハーフミラー１２の上部に設けられたカメラ１３、および人感センサ１５を備えている。
【００１４】
表示装置１には、表示面に所定の情報を表示するモードである画像表示モードという動作モードがある。この画像表示モードを無効にした状態においては、表示面には上記所定の情報は表示されず、ハーフミラー１２の表面は通常の鏡として使用される。一方、画像表示モードを有効にした状態においては表示面に所定の情報が表示されるため、ハーフミラー１２の表面は鏡として使用されるとともに、表示面に表示された情報が表示される。よって、ユーザは、表示装置１を鏡として使用するときには、画像表示モードを無効にし、表示装置１にて情報の確認を行うときには、画像表示モードを有効にする。
【００１５】
表示装置１は、例えばユーザの家の洗面所に、鏡の代わりに備えられる。こうすることで、ユーザは毎日自身の鏡像とともに、表示される情報を見ることができる。
【００１６】
ここで、表示装置１の動作概要について、図３を参照して説明する。図３は、表示装置１の動作概要を示す遷移図である。
【００１７】
図３の（ａ）に示すように、ユーザが表示装置１の前に立つと、ハーフミラー１２においてユーザの鏡像が形成される。このときには、画像表示モードは無効になっている。ここで、ユーザが表示装置１の前で静止した状態となると、水平方向の直線であるスキャンバー２１が表示面の上端に表示される。そして、ユーザが静止状態を継続していると、図３の（ｂ）および（ｃ）に示すように、スキャンバー２１が表示面の下端に向かって移動する動画が表示される。以降、上記動画を表示することを、「スキャンバー２１の表示」と称する場合がある。
【００１８】
ここで、スキャンバー２１の表示について詳細に説明する。スキャンバー２１は、表示面の上端から下端まで、所定時間をかけて移動する。そして、スキャンバー２１が表示面の下端に到達した時点で、この動画は終了する。この所定時間は、画像表示モードを有効にするためにユーザが静止すべき時間である。つまり、スキャンバー２１から表示面の下端までの距離が、画像表示モードが有効になるまでの残り時間（静止状態を継続すべき残り時間）を表している。
【００１９】
またスキャンバー２１は、図３の（ｄ）に示すように、ユーザが静止状態を解除したとき、すなわちユーザが動いたときに消える。つまり、動画が終了する前にユーザが動いた場合、表示装置１はスキャンバー２１の動画を途中で非表示とする。
【００２０】
以上より本実施形態の表示装置１は、スキャンバー２１を表示面に表示することで、静止状態を継続していることをユーザに認識させる。また、本実施形態の表示装置１は、画像表示モードを有効にして所定の情報を表示面に表示させるためにユーザが静止すべき残り時間をユーザに認識させることができる。スキャンバー２１は、画像表示モードが有効になるまでの残り時間（静止状態を継続すべき残り時間）をユーザが認識可能なように表示するものであればよく、水平方向の直線や下端に向かって移動する動画に限定されるものではない。
【００２１】
スキャンバー２１の動画が終了するまで、ユーザが静止状態を継続した場合、表示装置１は、画像表示モードを有効にし、これにより、図３の（ｅ）に示すような画面が表示面に表示される。この例では、ユーザを識別するためのユーザ識別情報２２が表示されている。ユーザ識別情報２２は、ユーザを識別できる画像であればよい。例えば、図３の（ｅ）に示すように、ユーザのイニシャルなどであってもよいし、ユーザの名前であってもよい。また、文字列でなくユーザを識別する写真やイラストであってもよい。
【００２２】
また、この例では、ユーザの健康状態を示す画像２３（体重の日ごとの変化を示すグラフ）、およびユーザが、当日行うべき身体の測定の達成度合いを示す画像２４が表示されている。画像２４は、例えば、測定した部位の色が、測定していない部位の色と異なる画像であってもよいし、測定数や全測定項目の達成を示す印を示す画像であってもよい。
【００２３】
なお以降、図３の（ｅ）に示す画面を、トップ画面と称する場合がある。また、トップ画面は所定の情報を表示する画面であるが、当該所定の情報は図３の（ｅ）の例に限定されない。例えば、体重以外のユーザの健康状態を示すような情報（脈拍数、消費カロリーなどを示す情報や、これらの変化を示すグラフなど）を表示してもよいし、電車の時刻表やその日のニュースなどを表示してもよい。また、HEMS（Home Energy Management System）と呼ばれる家庭内のエネルギー管理システムや防犯システムの状態を表示してもよい。
【００２４】
以上より、本実施形態に係る表示装置１は、画像表示モードが無効であるときに、ユーザの静止状態を検出すると、スキャンバー２１の動画を表示面に表示する。このスキャンバー２１は、所定時間が経過するまでの間、ユーザが静止状態を継続している限り表示される。そして表示装置１は、スキャンバー２１の表示が終了するまでユーザが静止状態を継続した場合、画像表示モードを有効にする。
【００２５】
このため、ユーザは画像表示モードを有効にしたい場合は、所定時間（スキャンバー２１が表示されている間）静止状態を継続すればよい。一方、画像表示モードを有効にしたくない場合は、スキャンバー２１が表示されている間に何らかの動作を行なえばよい。よって、ユーザは画像表示モードを有効にしたいときに、画像表示モードを有効にすることができる。また、ユーザはハーフミラー１２に触れることなく画像表示モードを有効にすることができるので、ハーフミラー１２に指紋がついて汚れてしまうことを防ぐことができる。
【００２６】
ハーフミラー１２は、透過面側が表示装置１の表示部１１（図１）の表示面に対向するように、表示面上に重ねて配置されているので、画像表示モードが有効になっている場合、当該表示面に表示される画像または映像を透過して移し出す。またハーフミラー１２は、外部からハーフミラー１２の表面に入射する光を反射面によって反射する。これにより、ハーフミラーの前にいるユーザは自身の鏡像を認識することとなる。以上より、画像表示モードが有効になっている場合、表示面から出射され、ハーフミラー１２を透過した光（透過光）と、ハーフミラー１２によって反射された光（反射光）とがユーザに届く。これにより、ユーザは表示面に表示される画像または映像と、自身の鏡像とを同時に認識することとなる。なお図１では、透過光を黒塗りのブロック矢印で表現し、反射光を白抜きのブロック矢印で表現している。
【００２７】
カメラ１３は、動画像を撮影して、表示装置１の前にいるユーザ（ハーフミラー１２の反射面側に存在するユーザ）の状態や動きを検出するために用いられる。この検出の結果（カメラ１３が撮影した映像）は、後述する制御部１４に入力され、当該ユーザが静止状態にあるか否かの判定に使用される。なお、カメラ１３は、表示装置１の前にいるユーザを撮影できるものであればよい。また、カメラ１３は、人感センサ１５によって表示装置１の前にいるユーザが検知されたときに起動する。
【００２８】
人感センサ１５は、表示装置１の前にいるユーザの存在を検知するセンサであり、例えば赤外線センサである。なお、人感センサ１５は、表示装置１の前にいるユーザを検知することができればよく、赤外線センサに限定されるものではない。
【００２９】
（表示装置１の要部構成）
次に、図１を参照して、表示装置１の要部構成について説明する。図１は、表示装置１の要部構成の一例を示すブロック図である。
【００３０】
図１に示すように、表示装置１は、上述のカメラ１３および人感センサ１５に加えて、表示部１１、制御部１４および記憶部１６を備える。
【００３１】
表示部１１は、画像や映像を表示する表示手段であり、例えば液晶パネルからなる。なお、表示部１１は液晶パネルに限定されず、有機ＥＬディスプレイ、無機ＥＬディスプレイ、ＰＤＰ（Plasma Display Panel）、ＳＥＤ（Surface-conduction Electron-emitter Display）などのＦＰＤ（Flat Panel Display）であってもよい。表示部１１は、後述する表示制御部１４２によって制御されて、表示面に画像や映像を表示する。なお、上述したように表示部１１の表示面上には、ハーフミラー１２が、該表示面とハーフミラー１２の透過面とが対向するように重なった状態で配置されている。
【００３２】
記憶部１６は、表示装置１にて使用される各種データを記憶する記憶デバイスである。記憶部１６は少なくとも、ユーザ識別データ１６１、共通画像データ１６２、および固有画像データ１６３を記憶している。
【００３３】
ユーザ識別データ１６１は、表示装置１の前に立つユーザを識別するために使用される。具体的には、ユーザ識別データ１６１は、ユーザの顔写真と当該顔写真が示すユーザを識別するためのユーザＩＤとが対応付けられているデータである。
【００３４】
共通画像データ１６２は、画像表示モードにおいて、表示面に表示される画面を形成するために使用される。つまり、共通画像データ１６２は、図３の（ｅ）に示すようなトップ画面を形成するための画像データである。具体的には、共通画像データ１６２は、トップ画面を形成するための画像データのうち後述する個人特定部１４３によって識別されたユーザが誰であってもトップ画面の形成に使用される画像データである。共通画像データ１６２の一例としては、ユーザの家の最寄り駅に停車する電車の時刻表、家庭内のエネルギー管理システムの状態、防犯システムの状態などが挙げられる。
【００３５】
固有画像データ１６３は、共通画像データ１６２と同様に、表示面に表示される画面を形成するために使用される。つまり、固有画像データ１６３も、図３の（ｅ）に示すようなトップ画面を形成するための画像データである。具体的には、固有画像データ１６３は、ユーザ識別データ１６１が登録された各ユーザに固有の画像データであり、ユーザＩＤごとに格納されている。固有画像データ１６３の一例としては、上述したユーザ識別情報２２、ユーザの健康状態を示す画像２３などが挙げられる。
【００３６】
制御部１４は、表示装置１が備える各部を統括制御するものである。制御部１４は、状態判定部１４１（検出部）、表示制御部１４２、個人特定部１４３（ユーザ特定部）、および写真撮影部１４４を含む。
【００３７】
状態判定部１４１は、表示装置１の前に立っているユーザが所定の状態であることを検出し、該所定の状態であることが検出された場合に、該所定の状態を所定時間継続しているか否かを判定する。なお、上述したように、本実施形態では上記所定の状態はユーザが静止している静止状態であるとして説明する。
【００３８】
具体的には、状態判定部１４１は、人感センサ１５からユーザの存在を検知した旨の情報を取得すると、カメラ１３を起動し、カメラ１３が撮影した映像（撮影映像）を取得する。
【００３９】
ここで、状態判定部１４１は、上記撮影映像を解析して、該撮影映像に映るユーザが静止状態であることを検出した場合、後述する動画表示制御部１４２１に、スキャンバー２１の表示を開始するよう指示する。なお、撮影映像に映るユーザが静止状態を継続しているか否かは、上記指示を行った後も継続して判定する。そして、撮影映像に映るユーザが動いた場合、スキャンバー２１を非表示とするよう動画表示制御部１４２１に指示する。
【００４０】
また、状態判定部１４１は、静止状態が継続しているときに、動画表示制御部１４２１からスキャンバー２１の表示終了を通知されると、静止状態が所定時間継続したと判定する。そして、トップ画面表示制御部１４２２に画像表示モードを有効にするよう指示するとともに、個人特定部１４３に、ユーザを特定するよう指示する。
【００４１】
表示制御部１４２は、表示部１１の表示面に画像や映像を表示させる。表示制御部１４２は、動画表示制御部１４２１（報知部）およびトップ画面表示制御部１４２２（処理実行部）を含む。
【００４２】
動画表示制御部１４２１は、状態判定部１４１からスキャンバー２１を表示するように指示を受けて、スキャンバー２１（図３参照）が表示面の上端から下端まで移動する動画を表示面に表示させる。また動画表示制御部１４２１は、スキャンバー２１を表示しているときに状態判定部１４１からスキャンバー２１を非表示とするように指示されると、スキャンバー２１を非表示とする。以上のように、ユーザの静止状態の継続および解除にあわせてスキャンバー２１の表示および非表示を切り替えることにより、動画表示制御部１４２１は、ユーザが所定の状態（静止状態）を継続しているか否かをユーザに報知する。
【００４３】
また、動画表示制御部１４２１は、スキャンバー２１の表示が終了する、すなわちスキャンバー２１が表示面の上端から下端まで移動したとき、状態判定部１４１にスキャンバー２１の表示が終了したことを通知する。
【００４４】
トップ画面表示制御部１４２２は、所定の状態（静止状態）に予め対応付けられた所定の処理として、表示面に所定の情報を表示させる。具体的には、トップ画面表示制御部１４２２は、状態判定部１４１から画像表示モードを有効にするように指示されると、個人特定部１４３から、個人特定部１４３が識別したユーザを示すユーザＩＤを受け取り、記憶部１６から共通画像データ１６２および固有画像データ１６３を読み出す。そして、トップ画面を生成して表示面に表示させる。
【００４５】
個人特定部１４３は、カメラ１３が撮影した映像に映るユーザを特定する。具体的には、個人特定部１４３は、状態判定部１４１からの指示を受けて、記憶部１６からユーザ識別データ１６１を読み出し、カメラ１３が撮影した映像に映るユーザの顔と、ユーザ識別データ１６１の各顔写真とを比較する。そして、映像に映るユーザの顔と一致する顔写真と対応付けられたユーザＩＤを、トップ画面表示制御部１４２２に供給する。
【００４６】
写真撮影部１４４は、カメラ１３にユーザの顔写真を撮影させる。写真撮影部１４４の詳細については、後述する実施形態３にて説明する。
【００４７】
（画面表示処理の流れ）
次に図４を参照して、表示装置１が実行する画面表示処理の流れについて説明する。図４は、表示装置１が実行する画面表示処理の流れの一例を示すフローチャートである。
【００４８】
まず、人感センサ１５がユーザの存在を検知すると（Ｓ１）、その旨を状態判定部１４１に通知する。状態判定部１４１は、当該通知を受け取ると、カメラ１３を起動し、撮影を開始させる（Ｓ２）。そして状態判定部１４１は、カメラ１３が撮影した映像を取得する。
【００４９】
状態判定部１４１は、取得した映像を解析して、ユーザの静止状態を検出する（Ｓ３）。ユーザの静止状態が検出できない場合（Ｓ３でＮＯ）、状態判定部１４１はユーザが静止状態となっているか否かの検出を継続する。一方、ユーザの静止状態を検出した場合（Ｓ３でＹＥＳ）、状態判定部１４１は、動画表示制御部１４２１にスキャンバー２１（図３参照）の表示を開始するよう指示する。
【００５０】
動画表示制御部１４２１は、状態判定部１４１からの指示を受けて、スキャンバー２１の動画を表示する（Ｓ４）。ここで、状態判定部１４１は、動画表示制御部１４２１にスキャンバー２１の表示を指示した後も、スキャンバー２１の表示が終了したことの通知を受けるまで、取得した映像にてユーザが静止しているか否かの判定を継続している。そして状態判定部１４１は、動画が終了するまで、ユーザが静止していたか否かを判定する（Ｓ５、検出ステップ）。
【００５１】
ここで、動画表示制御部１４２１からの通知を受ける前に、映像にてユーザが動いたと判定した場合（Ｓ５でＮＯ）、状態判定部１４１は、スキャンバー２１を非表示とするよう動画表示制御部１４２１に指示する。動画表示制御部１４２１は、当該指示を受けて、スキャンバー２１の動画を途中で終了する（Ｓ８）。そして状態判定部１４１は、ステップＳ３の処理に戻り、カメラ１３からリアルタイムで取得している映像にてユーザの静止状態の検出を行う。
【００５２】
これに対して、動画が終了するまでユーザが静止していたと判定した場合（Ｓ５でＹＥＳ）、すなわち、動画表示制御部１４２１からスキャンバー２１の表示が終了した旨の通知を受けるまで、映像にてユーザが静止していたと判定した場合、状態判定部１４１は、トップ画面表示制御部１４２２に画像表示モードを有効にするよう指示する。また状態判定部１４１は、個人特定部１４３にユーザを特定するよう指示する。個人特定部１４３は、状態判定部１４１からの指示を受けて、ユーザを特定する（Ｓ６）。
【００５３】
一方、状態判定部１４１から画像表示モードを有効にするように指示されたトップ画面表示制御部１４２２は、個人特定部１４３からユーザＩＤを供給されると、表示面にトップ画面を表示させる（Ｓ７、処理実行ステップ）。具体的には、トップ画面表示制御部１４２２は、記憶部１６から共通画像データ１６２および固有画像データ１６３を読み出し、トップ画面を生成する。そして、生成したトップ画面を表示面に表示させる。以上で、画面表示処理は終了する。
【００５４】
なお、図４のフローチャートでは省略しているが、個人特定部１４３は、ユーザを特定できなかった場合、その旨をトップ画面表示制御部１４２２に通知する。トップ画面表示制御部１４２２は、当該通知を受けると、共通画像データ１６２のみを読み出し、トップ画面を生成する。
【００５５】
〔実施形態２〕
本発明の他の実施形態について、図５および図６に基づいて説明すれば、以下のとおりである。なお、説明の便宜上、前記実施形態にて説明した部材と同じ機能を有する部材については、同じ符号を付記し、その説明を省略する。
【００５６】
本実施形態では、実施形態１にて説明した画像表示モードを無効にする構成について説明する。なお、本実施形態に係る表示装置は、実施形態１にて説明した表示装置１と構成が同様である。そのため以下では、本実施形態に係る表示装置は表示装置１（図１参照）であるとして説明する。
【００５７】
また以下では、実施形態１にて有効にした画像表示モードを無効にする例を説明するが、本実施形態にて説明する画像表示モードを無効にする処理は、実施形態１にて説明した方法と異なる方法で有効にされた画像表示モードを無効にするものであってもよい。
【００５８】
（表示装置１の動作概要）
まず、図５を参照して、本実施形態に係る表示装置１の動作概要について説明する。図５は、表示装置１の動作概要を示す遷移図である。
【００５９】
図５の（ａ）の状態では、表示装置１は画像表示モードを有効にしており、表示面には、トップ画面が表示されている。ここで、ユーザが表示装置１の前で静止状態となると、図５の（ｂ）に示すように、表示面の右下に数字が表示される。そして、ユーザが静止状態を継続していると、図５の（ｃ）に示すように、所定時間（図５の例では５秒間）のカウントダウンを行う動画が表示される。以降、上記動画を表示することを、「カウントダウン動画２５の表示」と称する場合がある。なお、表示面においてカウントダウン動画２５が表示される位置は、図５の例（右下）に限定されるものではない。
【００６０】
カウントダウン動画２５の表示は、図５の（ｄ）に示すように、ユーザが静止状態を解除したとき、すなわちユーザが動いたときに消える。つまり本実施形態の表示装置１は、カウントダウン動画２５を表示面に表示することで、ユーザが静止状態を継続していることを報知するとともに、ユーザが静止すべき残り時間をユーザに報知することができる。
【００６１】
カウントダウン動画２５の表示が終了するまでユーザが静止状態を継続した場合、表示装置１は画像表示モードを無効にする。これにより、図５の（ｅ）に示すように、表示面に表示されていたトップ画面が非表示となる。これにより、表示装置１は通常の鏡として使用される状態となる。
【００６２】
以上のように、本実施形態に係る表示装置１は、画像表示モードが有効であるときに、ユーザの静止状態を検出すると、カウントダウン動画２５を表示面に表示する。このカウントダウン動画２５は、所定時間が経過するまでの間、ユーザが静止状態を継続している限り表示される。そして表示装置１は、カウントダウン動画２５の表示が終了するまでユーザが静止状態を継続した場合、画像表示モードを無効にする。
【００６３】
このため、ユーザは、画像表示モードを有効にしたい場合だけでなく、画像表示モードを無効にしたい場合についても、所定時間（カウントダウン動画２５が表示されている間）静止状態を継続すればよい。一方、画像表示モードを継続させたい場合は、カウントダウン動画２５が表示されている間に何らかの動作を行なえばよい。よって、ユーザは静止状態という、鏡の前にいるユーザが自然にとる状態を継続することで、画像表示モードの有効と無効とを切り換えることができる。
【００６４】
（表示装置１の要部構成）
次に、表示装置１の要部構成について、図１を参照して説明する。
【００６５】
本実施形態に係る状態判定部１４１は、画像表示モードが有効であるときに、カメラ１３がリアルタイムで撮影した映像に映るユーザが静止状態であることを検出した場合、動画表示制御部１４２１に、カウントダウン動画２５（図５参照）の表示を開始するよう指示する。なお、撮影映像に映るユーザが静止状態を継続しているか否かは、上記指示を行った後も継続して判定する。そして、撮影映像に映るユーザが動いた場合、カウントダウン動画２５を非表示とするよう動画表示制御部１４２１に指示する。
【００６６】
また、状態判定部１４１は、静止状態が継続しているときに、動画表示制御部１４２１からカウントダウン動画２５の表示終了を通知されると、静止状態が所定時間継続したと判定する。そして、トップ画面表示制御部１４２２に画像表示モードを無効にするよう指示する。
【００６７】
本実施形態に係る動画表示制御部１４２１は、状態判定部１４１からの指示を受けて、カウントダウン動画２５の表示を開始する。また動画表示制御部１４２１は、カウントダウン動画２５を表示しているときに状態判定部１４１からのカウントダウン動画２５を非表示とするよう指示されると、カウントダウン動画２５を非表示とする。
【００６８】
また動画表示制御部１４２１は、カウントダウン動画２５の表示が終了したとき、状態判定部１４１にその旨を通知する。
【００６９】
本実施形態に係るトップ画面表示制御部１４２２は、状態判定部１４１からの指示を受けて、画像表示モードを無効とし、表示面に表示されていたトップ画面を非表示とする。
【００７０】
（画面表示終了処理の流れ）
次に図６を参照して、表示装置１が実行する画面表示終了処理の流れについて説明する。図６は、表示装置１が実行する画面表示終了処理の流れの一例を示すフローチャートである。なお、図６は表示装置１が画像表示モードを有効にした状態からの処理の流れを示すフローチャートである。
【００７１】
まず、状態判定部１４１は、取得した撮影映像を解析して、ユーザの静止状態を検出する（Ｓ１１）。ユーザの静止状態が検出できない場合（Ｓ１１でＮＯ）、状態判定部１４１はユーザが静止状態となっているか否かの検出を継続する。一方、ユーザの静止状態を検出した場合（Ｓ１１でＹＥＳ）、状態判定部１４１は、動画表示制御部１４２１にカウントダウン動画２５（図５参照）の表示を開始するよう指示する。
【００７２】
続いて動画表示制御部１４２１は、状態判定部１４１からの指示を受けて、カウントダウン動画２５を表示させる（Ｓ１２）。ここで、状態判定部１４１は、動画表示制御部１４２１にカウントダウン動画２５の表示を指示した後も、カウントダウン動画２５の表示が終了したことの通知を受けるまで、取得した映像にてユーザが静止しているか否かの判定を継続している。そして状態判定部１４１は、カウントダウン動画２５が終了するまで、ユーザが静止していたか否かを判定する（Ｓ１３）。
【００７３】
ここで、動画表示制御部１４２１からの通知を受ける前に、映像にてユーザが動いたと判定した場合（Ｓ１３でＮＯ）、状態判定部１４１は、カウントダウン動画２５を非表示とするよう動画表示制御部１４２１に指示する。動画表示制御部１４２１は、当該指示を受けてカウントダウン動画２５を途中で終了する（Ｓ１５）。そして状態判定部１４１は、ステップＳ１３の処理に戻り、カメラ１３からリアルタイムで取得している映像にてユーザの静止状態の検出を行う。
【００７４】
これに対して、動画が終了するまでユーザが静止していたと判定した場合（Ｓ１３でＹＥＳ）、すなわち、表示制御部１４２からの通知を受けるまで、映像にてユーザが静止していたと判定した場合（Ｓ１３でＹＥＳ）、状態判定部１４１は、トップ画面表示制御部１４２２に画像表示モードを無効にするよう指示する。
【００７５】
トップ画面表示制御部１４２２は、状態判定部１４１からの指示を受けて、画面表示を終了する（Ｓ１４）。具体的には、トップ画面表示制御部１４２２は、画像表示モードを無効とし、表示面に表示されていた情報を非表示とする。以上で、画面表示終了処理は終了する。
【００７６】
〔実施形態３〕
本発明のさらに別の実施形態について、図７および図８に基づいて説明すれば、以下のとおりである。なお、説明の便宜上、前記実施形態にて説明した部材と同じ機能を有する部材については、同じ符号を付記し、その説明を省略する。
【００７７】
本実施形態では、所定の処理としてユーザの顔写真を撮影する構成について説明する。なお、顔写真は実施形態１で説明したカメラ１３が撮影する。すなわち、本実施形態のカメラ１３は、動画像だけでなく静止画像を撮影することができる。
【００７８】
表示装置１が顔写真を撮影することにより、表示装置１をユーザの家の洗面所に設置しておけば、ユーザは表示装置１の前に毎日立つので、毎日のユーザの顔写真を記憶しておくことができる。将来この顔写真を読み出して、自身の鏡像とともに表示装置１に表示することで、ユーザは過去の自身の顔写真と現在の自身の鏡像とを比較することができる。
【００７９】
なお、本実施形態に係る表示装置は、実施形態１および２にて説明した表示装置１と構成が同様である。そのため以下では、本実施形態に係る表示装置は表示装置１（図１参照）であるとして説明する。
【００８０】
また以下では、実施形態１に説明したように、画像表示モードを有効にした後で顔写真を撮影する例を説明するが、本実施形態にて説明する顔写真を撮影する処理は、例えば画像表示モードを有効にする前、具体的にはユーザが画像表示モードを有効にするために静止状態を継続しているときに実行されてもよい。
【００８１】
（表示装置１の動作概要）
まず、図７を参照して、本実施形態に係る表示装置１の動作概要について説明する。図７は、表示装置１の動作概要を示す遷移図である。
【００８２】
表示装置１が画像表示モードを有効にしているため、図７の（ａ）に示すように、表示面には、トップ画面が表示されている。このトップ画面には、実施形態１で説明した各種画像の他に、楕円形の枠である撮影枠２６が表示されている。ユーザは図７の（ｂ）に示すように、自身の鏡像における顔が当該撮影枠２６内に含まれる状態で静止した状態となると、スキャンバー２７が撮影枠２６内の上端に表示される。そして、ユーザが静止状態を継続していると、図７の（ｃ）および（ｄ）に示すように、スキャンバー２７が撮影枠２６の上端から下端に向かって移動する動画が表示される。このスキャンバー２７の表示は、表示される場所が撮影枠２６内であることを除けば、実施形態１で説明したスキャンバー２１の表示と同様である。
【００８３】
スキャンバー２７の表示が終了するまで、ユーザが静止状態を継続した場合、表示装置１はユーザの顔写真を撮影する。これに対して、スキャンバー２７の表示が終了する前にユーザが動いた場合、図７の（ｅ）に示すように、表示装置１はスキャンバー２７を途中で非表示とする。なお、ここでの「顔写真」とは、ユーザの顔が写っている写真であればよい。
【００８４】
以上のように、本実施形態に係る表示装置１は、画像表示モードが有効であるときに、ユーザによる、撮影枠２６内に自身の鏡像における顔が含まれる状態での静止状態を検出すると、スキャンバー２７を撮影枠２６内に表示する。このスキャンバー２７は、所定時間が経過するまでの間、ユーザが静止状態を継続している限り表示される。そして表示装置１は、スキャンバー２７の表示が終了するまでユーザが静止状態を継続した場合、ユーザの顔写真を撮影する。
【００８５】
このため、ユーザは顔写真を撮影したい場合は、撮影枠２６内に自身の鏡像における顔が含まれる状態での静止状態を所定時間（スキャンバー２７が表示されている間）継続すればよい。一方、スキャンバー２７が表示された後で顔写真の撮影を中止したり、やり直したりしたい場合は、スキャンバー２７が表示されている間に何らかの動作を行なえばよい。よって、ユーザは、顔が撮影枠２６に入るようにして静止するという直感的な動作を行うことにより、自分が望んだタイミングで顔写真の撮影を行うことができる。また、顔が撮影枠２６に入る状態で撮影することにより、ユーザとカメラ１３との位置関係が同じ状態で撮影することができる。つまり、ユーザの顔の定点撮影が可能になる。
【００８６】
なお、撮影のために表示面に表示する画像は、ユーザが自身の顔を鏡像として表示装置１に映す位置を特定することができる画像であればよく、楕円形状の撮影枠２６に限定されない。例えば、撮影枠２６の代わりにユーザ識別情報２２におけるユーザの写真を表示してもよい。
【００８７】
（表示装置１の要部構成）
次に、表示装置１の要部構成について、図１を参照して説明する。本実施形態の表示装置１では、表示面における撮影枠２６の位置に対応する、カメラ１３が撮影した撮影映像における位置が予め特定されている。なお、この特定した位置を所定の位置と称する場合がある。
【００８８】
まず、実施形態１にて説明を省略した写真撮影部１４４（処理実行部）について説明する。
【００８９】
写真撮影部１４４は、上述したように、カメラ１３にユーザの顔写真を撮影させるものである。写真撮影部１４４は、状態判定部１４１から画像表示モードを有効にする旨の通知を受けると、動画表示制御部１４２１に、撮影枠２６を表示面に表示するよう指示する。また、写真撮影部１４４は、状態判定部１４１からの指示を受けて、カメラ１３にユーザの顔写真を撮影させる。そして、撮影した顔写真を記憶部１６に固有画像データ１６３として格納する。
【００９０】
本実施形態に係る状態判定部１４１は、トップ画面表示制御部１４２２に、画像表示モードを有効にするよう指示したとき、写真撮影部１４４に画像表示モードを有効にする旨を通知する。
【００９１】
また、状態判定部１４１は、カメラ１３からリアルタイムで取得した撮影映像の所定の位置にユーザの顔が位置した状態で、当該ユーザが静止状態であることを検出した場合、動画表示制御部１４２１に、撮影枠２６内においてスキャンバー２７の表示を開始するよう指示する。なお、撮影映像に映るユーザが静止状態を継続しているか否かは、上記指示を行った後も継続して判定する。そして、撮影映像に映るユーザが動いた場合、スキャンバー２７を非表示とするよう動画表示制御部１４２１に指示する。
【００９２】
また、状態判定部１４１は、静止状態が継続しているときに、動画表示制御部１４２１からスキャンバー２７の表示終了を通知されると、写真撮影部１４４にユーザの顔写真を撮影するよう指示する。
【００９３】
本実施形態に係る動画表示制御部１４２１は、写真撮影部１４４からの指示を受けて、撮影枠２６を表示面の所定の位置に表示する。また、動画表示制御部１４２１は、状態判定部１４１からの指示を受けて、撮影枠２６内においてスキャンバー２７の表示を開始する。また動画表示制御部１４２１は、スキャンバー２７を表示しているときに、状態判定部１４１からの指示を受けると、スキャンバー２７を非表示とする。
【００９４】
また動画表示制御部１４２１は、スキャンバー２７の表示が終了したとき、すなわちスキャンバー２７が撮影枠２６の上端から下端まで移動したとき、状態判定部１４１にスキャンバー２７の表示が終了したことを通知する。
【００９５】
本実施形態に係るトップ画面表示制御部１４２２は、写真撮影部１４４が記憶部１６に格納した過去の顔写真を、表示装置１の入力部（不図示）からの指示を受けて、図７の（ｆ）に示すように、顔写真２８として表示面に表示させることができる。また、トップ画面表示制御部１４２２は、複数ある過去の顔写真から、所定の時期（例えば１年前）に撮影された撮影データを特定し、顔写真２８として、画像表示モードが有効になったときに表示面に表示してもよい。
【００９６】
なお、上記入力部は特に限定されるものではない。例えば、入力部はカメラであってもよい。この場合、カメラはカメラ１３であってもよいし、別のカメラを新たに備えてもよい。この場合、状態判定部１４１は撮影映像に映るユーザが行ったジェスチャに応じた処理を特定し、表示装置１の各部に特定した処理の実行を指示する。また例えば、入力部はマイクであってもよい。この場合、状態判定部１４１はユーザの発した音声を認識し、認識した音声に応じた処理を特定する。また入力部は、表示面に重畳されたタッチセンサであってもよいし、物理ボタンであってもよいし、または、リモコンなどからの指示を受けるための赤外線受光部であってもよい。なお、ハーフミラー１２に指紋がつくことでハーフミラー１２が汚れることを防ぐために、入力部は、カメラ１３、マイク、または赤外線受光部などのようなユーザが非接触で入力可能なものであることが好ましい。さらに、入力部をカメラ１３とすれば、マイクやリモコンなどの装置を追加しなくてもユーザの操作を受け付けることができる。
【００９７】
（撮影処理の流れ）
次に図８を参照して、表示装置１が実行する撮影処理の流れについて説明する。図８は、表示装置１が実行する撮影処理の流れの一例を示すフローチャートである。なお、図８は表示装置１が画像表示モードを有効にした状態からの処理の流れを示すフローチャートであり、画像表示モードが有効になったときに表示されるトップ画面には、撮影枠２６が表示されている。
【００９８】
まず、状態判定部１４１は、取得した撮影映像を解析して、撮影映像の所定の位置にユーザの顔が位置したことを検出する（Ｓ２１）。所定の位置にユーザの顔が位置したことを検出できない場合（Ｓ２１でＮＯ）、状態判定部１４１は、所定の位置にユーザの顔が位置しているか否かの検出を継続する。一方、所定の位置にユーザの顔が位置したことを検出した場合（Ｓ２１でＹＥＳ）、状態判定部１４１は、撮影映像においてユーザの静止状態を検出する（Ｓ２２）。
【００９９】
ここで、ユーザの静止状態を検出できない場合（Ｓ２２でＮＯ）、状態判定部１４１はユーザが静止状態となっているか否かの検出を継続する。
【０１００】
一方、ユーザの静止状態を検出した場合（Ｓ２２でＹＥＳ）、状態判定部１４１は動画表示制御部１４２１に、撮影枠２６内においてスキャンバー２７の表示を開始するよう指示する。
【０１０１】
動画表示制御部１４２１は、状態判定部１４１からの指示を受けて、スキャンバー２７の動画を撮影枠２６内に表示する（Ｓ２３）。具体的には、動画表示制御部１４２１は、スキャンバー２７が撮影枠２６の上端から下端まで移動する動画を表示面に表示する。動画表示制御部１４２１は、当該動画が終了すると、スキャンバー２７の表示が終了したことを状態判定部１４１に通知する。
【０１０２】
状態判定部１４１は、動画表示制御部１４２１にスキャンバー２７の表示を指示した後も、スキャンバー２７の表示が終了したことの通知を受けるまで、取得した映像にて、ユーザが静止しているか否かの判定を継続している。つまり状態判定部１４１は、スキャンバー２７の動画が終了するまでユーザが静止していたか否かを判定する（Ｓ２４）。
【０１０３】
ここで、動画表示制御部１４２１からの通知を受ける前に、映像にてユーザが動いたと判定した場合（Ｓ２４でＮＯ）、状態判定部１４１は、スキャンバー２７を非表示とするよう動画表示制御部１４２１に指示する。動画表示制御部１４２１は、当該指示を受けて、スキャンバー２７を途中で終了する（Ｓ２６）。この後、処理はＳ２１に戻り、状態判定部１４１は、カメラ１３がリアルタイムで取得している映像にて、特定した位置にユーザの顔が位置したことの検出、および、ユーザの静止状態の検出を行う。
【０１０４】
これに対して、スキャンバー２７の動画が終了するまでユーザが静止していたと判定した場合（Ｓ２４でＹＥＳ）、すなわち、動画表示制御部１４２１からの通知を受けるまで、カメラ１３がリアルタイムで取得している映像にてユーザが静止していたと判定した場合、状態判定部１４１は、写真撮影部１４４にユーザの顔写真を撮影するよう指示する。写真撮影部１４４は、状態判定部１４１からの指示を受けて、ユーザの顔写真を撮影する（Ｓ２５）。以上で、撮影処理は終了する。
【０１０５】
〔実施形態４〕
本発明のさらに別の実施形態について、図９に基づいて説明すれば、以下のとおりである。なお、説明の便宜上、前記実施形態にて説明した部材と同じ機能を有する部材については、同じ符号を付記し、その説明を省略する。
【０１０６】
本実施形態では、ユーザが表示装置１に顔を映さない状態を所定時間継続したとき、換言すれば、表示装置１がユーザの顔を検出できない状態が所定時間継続したときに画像表示モードを無効にする構成について説明する。なお、本実施形態に係る表示装置は、実施形態１〜３にて説明した表示装置１と構成が同様である。そのため以下では、本実施形態に係る表示装置は表示装置１（図１参照）であるとして説明する。また、本実施形態においてユーザが表示装置１に顔を映さない状態を継続している間に表示される動画は、実施形態２で説明したカウントダウン動画２５（図５参照）であるとして説明する。
【０１０７】
また以下では、実施形態１にて有効にした画像表示モードを無効にする例を説明するが、本実施形態にて説明する画像表示モードを無効にする処理は、実施形態１にて説明した方法と異なる方法で有効にされた画像表示モードを無効にするものであってもよい。
【０１０８】
まず、表示装置１の要部構成について、図１を参照して説明する。
【０１０９】
本実施形態に係る状態判定部１４１は、カメラ１３がリアルタイムで撮影した映像においてユーザの顔を検出できなくなったとき、動画表示制御部１４２１にカウントダウン動画の表示を開始するよう指示する。
【０１１０】
また状態判定部１４１は、ユーザの顔を検出できなくなった後も、カメラ１３がリアルタイムで撮影した映像を解析している。そして、動画表示制御部１４２１から、カウントダウン動画２５の表示終了を通知される前に、当該映像において再びユーザの顔を検出したとき、カウントダウン動画２５を非表示とするよう動画表示制御部１４２１に指示する。
【０１１１】
実施形態２のように、ユーザが静止している場合にカウントダウン動画２５を表示すると、ユーザが画像表示モードを無効にする意図が無い場合にもかかわらず、カウントダウン動画２５が表示される可能性がある。これは、画像表示モードを有効にしておきたいユーザが、例えば表示されているデータを見る場合などに静止状態となることが自然であるためである。これに対して、画像表示モードを有効にしておきたいユーザが、自身の顔を表示装置１が検出できなくなるような状態とすること、例えば顔を表示装置１と反対方向に向けたり、表示装置１の前から立ち去ったりすることは考えにくい。つまり、ユーザの顔が検出できなくなったときに画像表示モードを無効にすることで、ユーザが意図していないのに、表示装置１が画像表示モードを無効にすることを防ぐことができる。
【０１１２】
（画面表示終了処理の流れ）
次に図９を参照して、表示装置１が実行する画面表示終了処理の流れについて説明する。図９は、表示装置１が実行する画面表示終了処理の流れの一例を示すフローチャートである。なお、図９は表示装置１が画像表示モードを有効にした状態からの処理の流れを示す。
【０１１３】
まず、状態判定部１４１は、取得した映像を解析して、ユーザの顔を検出する（Ｓ３１）。ユーザの顔を検出できた場合（Ｓ３１でＹＥＳ）、状態判定部１４１はユーザの顔の検出を継続する。一方、ユーザの顔を検出できない場合（Ｓ３１でＮＯ）、状態判定部１４１は、表示制御部１４２にカウントダウン動画２５の表示を開始するよう指示する。
【０１１４】
動画表示制御部１４２１は、状態判定部１４１からの指示を受けて、カウントダウン動画２５を表示させる（Ｓ３２）。動画表示制御部１４２１は、当該動画が終了すると、カウントダウン動画２５の表示が終了したことを状態判定部１４１に通知する。
【０１１５】
続いて状態判定部１４１は、カウントダウン動画２５が終了するまでに、ユーザの顔を再検出したか否かを判定する（Ｓ３３）。ユーザの顔を再検出した場合（Ｓ３３）、状態判定部１４１は、カウントダウン動画２５を非表示とするよう動画表示制御部１４２１に指示する。動画表示制御部１４２１は、当該指示を受けて、カウントダウン動画２５を途中で終了する（Ｓ３５）。この後、処理はＳ３１に戻り、状態判定部１４１は、取得した映像を解析して、ユーザの顔の検出を行う。
【０１１６】
これに対して、動画表示制御部１４２１からカウントダウン動画２５の表示が終了したことを通知されるまでに、個人特定部１４３からユーザの顔を認識したことを通知されなかった場合、状態判定部１４１はユーザの顔を再認識しなかったと判定する（Ｓ３３でＮＯ）。この場合、状態判定部１４１は、トップ画面表示制御部１４２２に画像表示モードを無効にするよう指示する。
【０１１７】
トップ画面表示制御部１４２２は、状態判定部１４１からの指示を受けて、画面表示を終了する（Ｓ３４）。以上で、画面表示終了処理は終了する。
【０１１８】
なお、本実施形態では、ユーザが表示装置１に顔を映していない状態であるか否かを判定するために、ユーザの顔が認識できるか否かを判定していた。しかしながら、ユーザが表示装置１に顔を映していない状態であるか否かを判定する方法はこの例に限定されるものではない。例えば、ユーザの眼の部分を映像から検出できるか否かを判定してもよい。
【０１１９】
〔実施形態５〕
本発明のさらに別の実施形態について、図１０に基づいて説明すれば、以下のとおりである。なお、説明の便宜上、前記実施形態にて説明した部材と同じ機能を有する部材については、同じ符号を付記し、その説明を省略する。
【０１２０】
本実施形態に係る表示装置は、自身の鏡像が所定領域に映るような位置でユーザが静止状態を所定時間継続しているとき、所定の処理を実行する。なお、本実施形態に係る表示装置は、実施形態１〜４にて説明した表示装置１と構成が同様である。そのため以下では、本実施形態に係る表示装置は表示装置１（図１参照）であるとして説明する。また、本実施形態においてユーザが静止状態を継続している間に表示される動画は実施形態１で説明したスキャンバー２１（図３参照）の動画であるとして説明する。
【０１２１】
また以下では、所定の処理が画像表示モードを有効にする処理である例を説明するが、所定の処理はこの例に限定されるものではない。例えば画像表示モードを無効にする処理であってもよいし、ユーザの顔写真を撮影する処理であってもよい。
【０１２２】
本実施形態の具体例について、図１０を参照して説明する。図１０の（ａ）は、表示装置１において、ユーザが画像表示モードを有効にするために鏡像を映しこむべき位置を示す模式図であり、図１０の（ｂ）は、ユーザが図１０の（ａ）に示す位置に鏡像が映るように立ったときに、表示装置１のカメラ１３によって撮影された撮影映像にユーザが映るべき位置として予め設定される領域を示す模式図である。
【０１２３】
本実施形態に係る表示装置１は、図１０の（ａ）に示すように、ハーフミラー１２における左端部の領域１１１内にユーザの鏡像が映るような位置にユーザが立ち、静止状態を所定時間継続した場合に画像表示モードを有効にする。
【０１２４】
具体的には、本実施形態に係る表示装置１では、カメラ１３が撮影した撮影映像３１において、図１０の（ｂ）に示す右端部の領域３１１が予め特定されている。この領域３１１は領域１１１に対応するようになっている。つまりユーザが領域１１１内に映るように立ったときに、撮影映像３１では領域３１１内にユーザが映るように、撮影映像３１における領域３１１の位置が設定されている。
【０１２５】
そして、本実施形態に係る状態判定部１４１は、カメラ１３が撮影した撮影映像３１の所定の位置（領域３１１）にユーザが映った状態で当該ユーザが静止状態であることを検出した場合、動画表示制御部１４２１にスキャンバー２１の表示を開始するよう指示する。この後、実施形態１と同様に、ユーザがスキャンバー２１の表示が終了するまで静止状態を継続すれば、画像表示モードが有効になり、表示面にトップ画面が表示される。
【０１２６】
一方、ユーザが所定の位置（領域３１１）に映っていること、およびユーザが静止していることを検出できない場合、ユーザが所定の位置に映った状態で静止状態となっているか否かの検出を継続する。
【０１２７】
以上のように、ユーザは画像表示モードを有効にしたい場合は、自身の鏡像が領域１１１に映るような位置に立ち、スキャンバー２１の表示が終了するまで静止状態を継続すればよい。なお、領域１１１とそれ以外の領域との境界を示す矩形は表示面に表示されなくてもよいし、表示されてもよい。ただし、この境界を表示すれば、ユーザは、画像表示モードを有効にするために自身が立つ位置を認識することができる。
【０１２８】
実施形態１〜３のように、静止状態を継続しているか否かを判定するような構成の場合、ユーザが所定時間静止していれば画像表示モードが有効になる。鏡の前で静止状態となることはユーザにとって自然なことであるため、ユーザが画像表示モードを有効にしたくない、すなわち表示装置１を通常の鏡として使用したい場合であっても、画像表示モードが有効になる場合がある。
【０１２９】
そこで、本実施形態の表示装置１は、ユーザが所定の位置（領域３１１）に映った状態で静止状態を所定時間継続しているか否かを判定する。ユーザは画像表示モードを有効にしたい場合は、撮影映像３１において領域３１１に映るような位置、すなわち、自身の鏡像が領域１１１に映るような位置に立つ。これにより、ユーザが画像表示モードを有効にすることを希望している可能性が高い状況において、画像表示モードを有効にすることができる。なお、鏡を使用するユーザは、一般的にその鏡の中央に自身の鏡像が映るような位置に立つことが多い。このため、図１０に示すように、ハーフミラー１２の端部に近い領域にユーザの鏡像が映るような位置を、画像表示モードを有効にするためにユーザが立つ位置としておくことが好ましい。これにより、ユーザが画像表示モードを有効にすることを希望している可能性がさらに高い状況において、画像表示モードを有効にすることができる。
【０１３０】
なお、本実施形態では領域１１１をハーフミラー１２の左端部の領域としていたが、領域１１１はハーフミラー１２の右端部の領域であってもよい。この場合、領域３１１は、撮影映像３１の左端部の領域となる。
【０１３１】
〔実施形態６〕
本発明のさらに別の実施形態について、図１１および図１２に基づいて説明すれば、以下のとおりである。なお、説明の便宜上、前記実施形態にて説明した部材と同じ機能を有する部材については、同じ符号を付記し、その説明を省略する。
【０１３２】
本実施形態では、ユーザが静止しているか否かを判定している期間、換言すれば実施形態１で説明したスキャンバー２１の動画が表示されている期間に、ユーザの心拍数（heart rate）、呼吸数、疲労度および体温を測定する表示装置２について説明する。
【０１３３】
（表示装置２の要部構成）
まず、図１１を参照して、表示装置２の要部構成について説明する。図１１は、表示装置２の要部構成の一例を示すブロック図である。
【０１３４】
表示装置２と、実施形態１〜５で説明した表示装置１との相違点は、図１１に示すように、赤外線センサ１８をとバイタルデータ測定部１４５（測定部）とをさらに備える点である。
【０１３５】
本実施形態に係る状態判定部１４１は、カメラ１３が撮影した映像に映るユーザが静止していることを検出した場合、動画表示制御部１４２１にスキャンバー２１の表示を指示するとともに、バイタルデータ測定部１４５にユーザの心拍数、呼吸数、疲労度および体温の測定を指示する。また、状態判定部１４１は、スキャンバー２１の表示終了を通知される前に当該映像に映るユーザが動いた場合、スキャンバー２１を非表示とするよう動画表示制御部１４２１に指示するとともに、心拍数、呼吸数、疲労度および体温の測定を中止するようバイタルデータ測定部１４５に指示する。
【０１３６】
赤外線センサ１８は、ユーザの体温を測定するために、ユーザから放出される赤外線のエネルギーを検出するセンサである。本実施形態に係る赤外線センサ１８は、バイタルデータ測定部１４５によって制御されて、ユーザの額から放出される赤外線のエネルギーを検出し、検出結果をバイタルデータ測定部１４５に出力する。
【０１３７】
バイタルデータ測定部１４５は、ユーザが静止しているか否かを状態判定部１４１が判定している期間に、ユーザの心拍数、呼吸数、疲労度および体温を測定するものである。具体的には、バイタルデータ測定部１４５は、状態判定部１４１からの指示を受けると、カメラ１３から撮影映像を取得するとともに、赤外線センサ１８を起動する。そして、取得した撮影映像からユーザの顔を認識することで、ユーザの額部分を特定する。そして、赤外線センサ１８の向きをユーザの額部分から放出される赤外線を検出できるような向きとし、ユーザの額部分から放出される赤外線を検出させる。そして、バイタルデータ測定部１４５はユーザの額部分から放出された赤外線のエネルギーの値を取得し、当該値を温度の値に変換することで、ユーザの体温を測定する。
【０１３８】
また、バイタルデータ測定部１４５は取得した撮影映像に基づいて心拍数を測定する。具体的には、撮影映像に映るユーザの顔の色は、心臓の鼓動に合わせて色が変化する（心臓が鼓動したとき、顔の色における赤色成分が増加する）ので、バイタルデータ測定部１４５は、この色の変化からユーザの心拍数を測定する。
【０１３９】
さらに、バイタルデータ測定部１４５は、赤外線センサ１８またはカメラ１３が出力した画像を解析することによって、呼吸数および疲労度を測定する。そして、バイタルデータ測定部１４５は、心拍数、呼吸数、疲労度および体温の測定結果の画像をトップ画面表示制御部１４２２に供給する。
【０１４０】
本実施形態に係るトップ画面表示制御部１４２２は、バイタルデータ測定部１４５から供給された画像を含むトップ画面を表示する。
【０１４１】
（画面表示処理の流れ）
次に、図１２を参照して、表示装置２が実行する画面表示処理の流れについて説明する。図１２は、表示装置２が実行する画面表示処理の流れの一例を示すフローチャートである。なお、図１２に示すステップＳ４１〜Ｓ４４にて実行される処理は、図４に示すステップＳ１〜４にて実行される処理と同様であるため、ここでの説明を省略する。
【０１４２】
状態判定部１４１は、取得した映像にてユーザの静止状態を検出した場合（Ｓ４３でＹＥＳ）、動画表示制御部１４２１にスキャンバー２１の表示を開始するよう指示するとともに、バイタルデータ測定部１４５に、ユーザの心拍数、呼吸数、疲労度および体温の測定を指示する。
【０１４３】
バイタルデータ測定部１４５は、状態判定部１４１からの指示を受けて、ユーザの心拍数、呼吸数、疲労度および体温を測定する（Ｓ４５）。また状態判定部１４１は、実施形態１と同様に、スキャンバー２１の動画が終了するまで、ユーザが静止していたか否かを判定する（Ｓ４６）。
【０１４４】
ここで、動画表示制御部１４２１からの通知を受ける前に、映像にてユーザが動いたと判定した場合（Ｓ４６でＮＯ）、状態判定部１４１は、スキャンバー２１を非表示とするよう動画表示制御部１４２１に指示する。動画表示制御部１４２１は、当該指示を受けてスキャンバー２１の動画を途中で終了する（Ｓ４９）。さらに状態判定部１４１は、心拍数、呼吸数、疲労度および体温の測定を中止するようバイタルデータ測定部１４５に指示する。バイタルデータ測定部１４５は、状態判定部１４１からの指示を受けて、心拍数、呼吸数、疲労度および体温の測定を中止する（Ｓ５０）。この後、処理はＳ４３に戻る。
【０１４５】
これに対して、動画が終了するまでユーザが静止していたと判定した場合（Ｓ４６でＹＥＳ）、バイタルデータ測定部１４５は、心拍数、呼吸数、疲労度および体温の測定結果の画像を、トップ画面表示制御部１４２２に供給する。そして、実施形態１と同様に、個人特定部１４３が状態判定部１４１からの指示を受けてユーザを特定し（Ｓ４７）、トップ画面表示制御部１４２２が、表示面にトップ画面を表示させる（Ｓ４８）。このとき、トップ画面表示制御部１４２２は、バイタルデータ測定部１４５から供給された心拍数、呼吸数、疲労度および体温の測定結果示す画像を含むトップ画面を表示させる。
【０１４６】
なお、本実施形態では心拍数、呼吸数、疲労度および体温の全てを測定するものとして説明したが、心拍数、呼吸数、疲労度または体温のいずれか一つまたは複数の組合せを測定する構成であってもよい。また、心拍数、呼吸数、疲労度および体温以外のバイタルデータを測定してもよい。
【０１４７】
また、ユーザが所定の状態を所定時間継続しているか否かを判定している間に実行する処理を、バイタルデータの測定としたのは一例である。例えば、判定している間に本日の天気やニュースなどの情報を外部から取得して、表示面に表示させてもよい。つまり、図１１に示すバイタルデータ測定部１４５は、ユーザが所定の状態を所定時間継続しているか否かを判定している間に実行されるアプリケーションの一例であり、表示装置２では、判定している間に実行する処理に応じたアプリケーションを実行することができる。
【０１４８】
また、ユーザが所定の状態を所定時間継続しているか否かを判定している間に個人特定部１４３がユーザを特定し、バイタルデータ測定部１４５は、当該特定したユーザに応じたバイタルデータを測定してもよい。例えば、特定したユーザの年齢に応じて、測定するバイタルデータを変更してもよい。
【０１４９】
〔実施形態７〕
本発明のさらに別の実施形態について、図１３に基づいて説明すれば、以下のとおりである。なお、説明の便宜上、前記実施形態にて説明した部材と同じ機能を有する部材については、同じ符号を付記し、その説明を省略する。
【０１５０】
本実施形態に係る表示装置は、表示面に表示された注目対象画像にユーザが目線を所定時間向けた状態を継続したときに所定の処理を実行する。なお、本実施形態に係る表示装置は、実施形態１〜５にて説明した表示装置１と構成が同様である。そのため以下では、本実施形態に係る表示装置は表示装置１であるとして説明する。
【０１５１】
本実施形態の具体例について、図１３を参照して説明する。図１３は、本実施形態に係る表示装置１に表示される画面例を示す模式図である。
【０１５２】
まず、図１３の（ａ）を参照して、所定の処理が画像表示モードを有効にする処理である例を説明する。
【０１５３】
本実施形態に係る状態判定部１４１は、人感センサ１５からユーザの存在を検知した旨の情報を取得すると、カメラ１３を起動するとともに、動画表示制御部１４２１に図１３の（ａ）に示す注目対象画像２１１を表示するよう指示する。なお、注目対象画像２１１が表示される位置に対応する撮影映像中の位置は予め特定されている。
【０１５４】
そして、状態判定部１４１は、撮影映像に映るユーザが、上記特定された位置に目線を向けている状態であることを検出した場合、当該状態を所定時間継続しているか否かを判定する。なお、ユーザが目線を所定の位置（注目対象画像２１１が表示されている位置）に向けていることを検出する方法については既存の技術を用いることができる。上記特定された位置に目線を向けている状態を所定時間継続していると判定した場合、状態判定部１４１は、実施形態１と同様に、トップ画面表示制御部１４２２に画像表示モードを有効にするよう指示する。
【０１５５】
次に、図１３の（ｂ）を参照して、所定の処理が画像表示モードを無効にする処理である例を説明する。
【０１５６】
状態判定部１４１は、画像表示モードが有効である状態で、撮影映像に映るユーザが、予め特定されている所定の位置に目線を向けている状態であることを検出した場合、動画表示制御部１４２１に図１３の（ｂ）に示す注目対象画像２１２を、予め特定されている所定の位置（ユーザが目線を向けている位置）に表示するよう指示する。そして、状態判定部１４１は、注目対象画像２１２が表示されている位置にユーザが目線を向けた状態を所定時間継続していると判定した場合、画像表示モードを無効にするようトップ画面表示制御部１４２２に指示する。なお、注目対象画像２１２は、トップ画面が表示されるときに同時に表示されてもよい。この場合、トップ画面における注目対象画像２１２以外の画像は、注目対象画像２１２と重ならないような位置に表示される。
【０１５７】
なお、注目対象画像２１１および注目対象画像２１２は動画であってもよい。例えば、図１３の（ａ）に示す注目対象画像２１１において「ここに３秒注目」という文字列の数字がカウントダウンされていく動画であってもよい。また、図１３の（ｂ）に示す注目対象画像２１２が、「あと３秒でＯＦＦ」という文字列を含み、当該文字列の数字がカウントダウンされていく動画であってもよい。そして状態判定部１４１は、当該動画が終了するまで、当該動画が表示されている位置に目線を向けた状態をユーザが継続しているか否かを判定する。そして動画が終了したとき、トップ画面表示制御部１４２２はトップ画面を表示する（または画面表示を終了する）。
【０１５８】
また例えば、図１３の（ｃ）および（ｄ）に示すように、移動する動画を表示してもよい。具体的には、動画表示制御部１４２１は、表示面の右上端部から左上端部に向かって移動する注目対象画像２１３を表示する。状態判定部１４１は、注目対象画像２１３にユーザが目線を向けている状態であることを検出した場合、移動する注目対象画像２１３をユーザの目線が追う状態を所定時間継続したか否かを判定する。そして、所定時間継続したと判定した場合、トップ画面表示制御部１４２２は画像表示モードを有効にする。
【０１５９】
なお、状態判定部１４１は、ユーザが目線を向けている状態を検出した場合に、動画表示制御部１４２１に指示して注目対象画像２１３の移動を開始させてもよい。つまり、ユーザが静止している注目対象画像２１３に目線を向けると、注目対象画像２１３は右端端部から左端端部へ向けての移動を開始する。状態判定部１４１は、この移動する注目対象画像２１３をユーザの目線が追う状態が所定時間継続したか否かを判定する。
【０１６０】
また、予め特定されている所定の位置に注目対象画像を表示しなくてもよい。ただしこの場合、どの位置に目線を向けるのかをユーザが知っておく必要がある。
【０１６１】
〔実施形態８〕
本発明のさらに別の実施形態について、図１４から図１７に基づいて説明すれば、以下のとおりである。なお、説明の便宜上、前記実施形態にて説明した部材と同じ機能を有する部材については、同じ符号を付記し、その説明を省略する。
【０１６２】
本実施形態に係る表示装置３は、後述するヘルスケア見守りシステム１００において、ユーザが測定機器６を用いて測定した結果を表示する表示装置である。
【０１６３】
（ヘルスケア見守りシステム１００）
まず、図１４に基づいて、本実施形態に係るヘルスケア見守りシステム１００の概要について説明する。図１４は、ヘルスケア見守りシステム１００に含まれる表示装置３およびサーバ４の要部構成の一例を示すブロック図である。
【０１６４】
ヘルスケア見守りシステム１００は、予め登録されたユーザ（例えば、家族のメンバー）が測定機器６を用いて測定した結果を、表示装置３に表示するシステムである。測定機器６によって測定された結果を示す測定データは、サーバ４によって管理される。そして、当該測定データは表示装置３に対するユーザ操作に応じて、表示装置３に表示される。なお、本実施形態では、ヘルスケア見守りシステム１００に、家族のメンバーで構成されるグループを登録した例を説明する。この家族のメンバーは同居しているメンバーに限らない。例えば、同居している家族と別居している親とを同じ家族のメンバーとして登録してもよい。
【０１６５】
ヘルスケア見守りシステム１００は、表示装置３、サーバ４、ベースユニット５、および測定機器６（体重計６１、血圧計６２、体脂肪計６３、および血糖値計６４）を含む。なお、測定機器６の種類および数は、図１４の例に限定されない。測定機器６の他の例としては、血中酸素濃度（酸素飽和度）を測定する血中酸素濃度計、脈拍（pulse）数を測定する脈拍計、心臓の活動電位を測定して心電図を生成する心電計、活動量を測定する活動量計、睡眠に関するデータを測定する睡眠計などが挙げられる。また、測定機器６は、血中酸素濃度および脈拍数を測定する血中酸素濃度脈拍計や、活動量および睡眠に関するデータを測定する活動量睡眠計などの、複数の測定項目を測定できる測定機器であってもよい。
【０１６６】
測定機器６は、ユーザによる測定が完了すると、測定データ、測定日、および自機のシリアル番号をベースユニット５に送信する。ベースユニット５は、受信した測定データ、測定日、およびシリアル番号に、家族のメンバーで構成されるグループを識別するための家族ＩＤを付してサーバ４に送信する。
【０１６７】
（表示装置３の要部構成）
次に、表示装置３の要部構成について説明する。表示装置３と、実施形態１〜５、および７で説明した表示装置１との相違点は、図１４に示すように、表示装置１の記憶部１６に記憶されていたユーザ識別データ１６１、共通画像データ１６２、および固有画像データ１６３を記憶していない点、個人特定部１４３を備えない点、並びに、通信部１９および設定部１４６を備える点である。また、表示装置３は上述した家族ＩＤを記憶している。
【０１６８】
通信部１９は、外部装置との通信を行う。具体的には、制御部１４から出力される各種データをサーバ４に送信するとともに、サーバ４から受信した各種データを、制御部１４に出力する。
【０１６９】
本実施形態に係る状態判定部１４１は、カメラ１３から撮影映像を取得すると、当該撮影映像に映るユーザを特定させるために、通信部１９を介して当該撮影映像および家族ＩＤをサーバ４に送信する。そして、サーバ４が撮影映像に映るユーザを特定することができた場合、特定したユーザのユーザＩＤを受信する。一方、特定できなかった場合、その旨を示す通知を受信する。
【０１７０】
また、本実施形態に係る状態判定部１４１は、表示装置３の前に立っているユーザの所定の状態（例えば、ユーザが静止している静止状態）が所定時間継続したと判定すると、トップ画面表示制御部１４２２画像に表示モードを有効にするよう指示するとともに、サーバ４から受信したユーザＩＤ（表示装置３の前に立つユーザのユーザＩＤ）を出力する。
【０１７１】
また、本実施形態に係る状態判定部１４１は、撮影映像に映るユーザが行ったジェスチャに応じた処理を特定し、制御部１４の各部に特定の処理の実行を指示する。具体的には、状態判定部１４１は、取得した撮影映像からユーザが上下左右のいずれかの方向に手を動かすジェスチャを行ったことを特定し、当該ジェスチャに応じて、表示制御部１４２に、表示する画面の変更を指示する。なお、ここでの「上下左右」とは、後述する図１５における「上下左右」である。また、ジェスチャおよび指示される処理は上記の例に限定されない。例えば、画面を指差すジェスチャによって、設定部１４６への設定の変更指示がなされてもよい。
【０１７２】
また、本実施形態において、表示装置３がユーザによる処理の実行指示を取得するための方法は、カメラ１３によるジェスチャの撮影に限定されない。例えば、赤外線センサによってユーザの手の動きを検知してもよいし、表示装置３が矩形のハーフミラー１２の端部に外枠部を有する場合、当該外枠部の各辺に合計４つのタッチセンサを設け、ユーザのタッチ操作を検知してもよい。この場合、状態判定部１４１は、どのタッチセンサにユーザがタッチしたかに応じて実行する処理を特定する。
【０１７３】
本実施形態に係るトップ画面表示制御部１４２２（メンバー情報表示部）は、状態判定部１４１から画像表示モードを有効にするように指示されると、家族ＩＤおよび状態判定部１４１から受け取ったユーザＩＤをサーバ４に送信し、サーバ４から各種情報を受信する。そして、受信した情報および設定部１４６が保存している各種設定を用いて、トップ画面などの各種画面を生成し、表示部１１に表示する。
【０１７４】
ここで、図１５を参照して、本実施形態に係るトップ画面表示制御部１４２２が生成するトップ画面の詳細について説明する。図１５は、表示装置３が表示するトップ画面の一例を示す図である。なお、トップ画面は図１５の例に限定されるものではない。
【０１７５】
図１５に示すトップ画面には、ユーザ識別情報１２２、測定結果情報１２３、家族情報１２４、ユーザ特有情報１２５、および操作補助画像１２６、１２７、および１２８が表示されている。
【０１７６】
ユーザ識別情報１２２は、表示装置３の前に立つユーザを示す情報である。具体的には、図１５の例におけるユーザ識別情報１２２は、表示装置３の前に立つユーザのイニシャル（ＡＮ）および顔写真である。トップ画面表示制御部１４２２は、サーバ４から受信したイニシャルおよび顔写真を用いて、ユーザ識別情報１２２を生成する。
【０１７７】
測定結果情報１２３は、測定機器６による測定結果を示す画像である。なお、図１５では、血中酸素濃度計（Oximeter）として血中酸素濃度脈拍計を使用しているため、測定結果として血中酸素濃度および脈拍数が表示されている。同様に、歩数計（Pedometer）として活動量睡眠計を使用しているため、測定結果として消費カロリー、睡眠時間、および歩数が表示されている。
【０１７８】
また、測定結果情報１２３のうち、チェックマークが表示されているものは、所定期間内（以降、所定期間を本日中として説明する）に測定されている測定データであり、チェックマークが表示されていないものは、本日中に測定されていない測定データである。また、チェックマークが表示されていない測定データは、本日より前に測定された測定データのうち、最新の測定データである。これにより、ユーザは測定結果情報１２３を見るだけで、本日測定していない測定データを認識することができる。なお、測定結果情報１２３は、ユーザが予め設定した測定内容（どの測定機器６を用いて測定を行うか）に応じて変わるため、図１５の例に限定されるものではない。
【０１７９】
トップ画面表示制御部１４２２は、サーバ４から受信した測定データおよび測定日を用いて測定結果情報１２３を生成する。このとき、測定日が本日の日付の測定データについては、チェックマークを付す。
【０１８０】
家族情報１２４は、予め登録された家族のメンバーの測定結果などを示す画像である。具体的には、家族情報１２４は、家族のメンバーを識別する情報と、現時点における測定機器６による測定の状況（以下、測定状況情報と称する）を対応付けて表示する画像である。さらに具体的には、家族情報１２４は、登録された家族のメンバーの顔写真を並べ、各顔写真の右上に測定状況情報を配置した画像である。
【０１８１】
測定状況情報は、例えば図１５に示すように、本日中に測定すべき測定データのうち、現時点でいくつ測定されているかを示す数字である。さらに、測定すべき測定データを全て測定している場合は、数字ではなくチェックマークが表示される。また、測定すべき測定データを１つも測定していない場合は、何も表示されない。なお、測定状況情報はこの例に限定されず、所定期間内に測定すべき測定データのうち、当日行うべき身体の測定の達成度合いがわかるようなものであればよい。例えば、測定の達成度合いに応じて色が変化するようなものであってもよい。
【０１８２】
家族情報１２４は、その他の情報を含んでいてもよい。例えば、血圧の値が高いなど測定データ（健康状態）に問題があるユーザの顔写真には、図１５の家族情報１２４のうち、一番右の画像に示すように警告マーク（図１５の例では、三角形の中に感嘆符「！」のマーク）を付してもよい。これにより、健康状態に問題がある家族のメンバーを容易に認識することができる。また、表示装置３は、家族のメンバーに健康状態に問題があるユーザがいる場合、所定の通知先（例えば医者のメールアドレス）に、その旨を通知する機能を有していてもよい。
【０１８３】
また、現時点における家族のメンバーの位置情報を表示してもよい。例えば、会社にいるメンバーについて、図１５の家族情報１２４のうち、右から２番目の画像に示すように、当該メンバーの顔写真に会社を示すアイコンを付してもよい。なお、アイコンは会社を示すものに限定されない。例えば学校や自宅を示すアイコンがあってもよい。
【０１８４】
トップ画面表示制御部１４２２は、表示装置３の前に立つユーザと同じ家族ＩＤのユーザの顔写真、測定データ、および測定日を、サーバ４から受信し、これを用いて家族情報１２４を生成する。具体的には、各ユーザについて、すべての測定データの測定日が本日の日付であるか否かを確認し、すべての測定データの測定日が本日の日付である場合は、当該ユーザの顔写真にチェックマークを付す。すべての測定データの測定日が本日の日付でなく、１以上の測定データの測定日が本日の日付であるユーザの顔写真には、本日測定された測定データの数を示す数字を付す。
【０１８５】
また、トップ画面表示制御部１４２２は、各ユーザの測定データについて、測定項目（測定機器６）ごとに設定されている所定の範囲内であるか否かを確認する。１以上の測定データで閾値を超えているものがある場合、当該ユーザの顔写真に警告マークを付す。
【０１８６】
また、トップ画面表示制御部１４２２は例えば、家族情報１２４に位置情報を表示するために、会社、学校に設けられたユーザ検知タグなどから送信された情報を用いる。ユーザ検知タグは例えば、ユーザが所持するタグ（ＲＦタグなど）を検知し、その旨を表示装置３に送信する。なお、位置情報を表示するための方法はこの例に限定されない。
【０１８７】
以上のように、ユーザ識別情報１２２および測定結果情報１２３は、表示装置３の前に立つユーザの情報（測定状況）を示す画像である。また、家族情報１２４は、表示装置３の前に立つユーザの家族のメンバーの情報（測定状況）を示す画像である。よって、これらの画像は、表示装置３の前に立つユーザを含む、予め登録されたメンバーの情報を示すメンバー情報画像であると表現することができる。
【０１８８】
ユーザ特有情報１２５は、ユーザの設定に基づいて取得された各種情報を示す画像である。ユーザ特有情報１２５は、図１５に示すように、例えば現在の日時、天気、最低気温および最高気温を示す画像である。なお、ユーザ特有情報１２５は、各ユーザが表示させたい情報を示す画像であり、各ユーザの設定に応じて変化するものである。つまり、図１５に示す画像は一例である。例えば、ユーザ特有情報１２５のその他の例としては、ユーザが乗る電車の時刻表、本日のニュース、交通渋滞情報、本日のスケジュールなどが挙げられるが、この例に限定されるものではない。
【０１８９】
トップ画面表示制御部１４２２は、状態判定部１４１から受け取ったユーザＩＤを参照して、設定部１４６が保存した、当該ユーザＩＤが示すユーザのユーザ特有情報１２５の設定を読み出す。そして、読み出した設定に基づいてサーバ４またはその他のサーバからユーザ特有情報１２５を生成するための情報を取得し、ユーザ特有情報１２５を生成する。例えば、ユーザ特有情報１２５として天気を示す画像を表示する場合、天気予報の情報を管理しているサーバ（不図示）から情報を取得すればよい。
【０１９０】
操作補助画像１２６〜１２８は、トップ画面に対する操作および当該操作によって実行される処理の内容を示す画像である。なお、本実施形態における「操作」とは、上述したようにユーザが表示装置３の前で手を上下左右のいずれかの方向に動かすジェスチャである。操作補助画像１２６は、ユーザが手を下方向へ動かすジェスチャによって、測定結果情報１２３に示す測定データについてより詳細に示す画面である測定詳細画面を表示することを示している。なお、測定詳細画面の具体例については後述する。操作補助画像１２７は、ユーザが手を上方向へ動かすジェスチャによって、画像表示モードを無効にすることを示している。操作補助画像１２８は、ユーザが手を左方向へ動かすジェスチャによって、ユーザの顔写真を撮影するための画面（写真撮影画面）を表示することを示している。トップ画面表示制御部１４２２は、写真撮影画面を表示したとき、写真撮影画面が表示されたことを写真撮影部１４４に通知する。
【０１９１】
なお、図１５に示す操作補助画像１２６〜１２８が示す操作および処理の内容は一例であり、上述した操作および処理の内容に限定されるものではない。
【０１９２】
次に、図１６を参照して、測定詳細画面および定点比較画面について説明する。図１６は、表示装置３が表示する測定詳細画面および定点比較画面の一例を示す図である。なお、測定詳細画面および定点比較画面は図１６に示す例に限定されるものではない。
【０１９３】
トップ画面が表示された状態において、ユーザが手を下方向へ動かすジェスチャを行った場合、例えば、図１６の（ａ）に示す測定詳細画面が表示される。具体的には、状態判定部１４１の指示に応じて、トップ画面表示制御部１４２２が測定詳細画面を表示部１１に表示させる。図１６の（ａ）は、測定詳細画面の一例であり、測定結果情報１２３が示す測定データのうち、血圧計で測定される血圧および心拍数の曜日ごとの変化を示すグラフを含む測定詳細画面を示す図である。
【０１９４】
また、図１６の（ａ）に示す測定詳細画面は、操作補助画像２２１、２２２、および２２３を含む。操作補助画像２２１は、ユーザが手を上方向へ動かすジェスチャによって、トップ画面を表示することを示している。操作補助画像２２３は、ユーザが手を右方向に動かすジェスチャによって、その他の測定データ（図１６の（ａ）の例では体重）の詳細を示す測定詳細画面を表示することを示している。
【０１９５】
操作補助画像２２２は、ユーザが手を左方向に動かすジェスチャによって、定点比較を行うための定点比較画面を表示することを示している。図１６の（ｂ）は、定点比較画面を示す図である。本実施形態における定点比較とは、異なる時点に撮影した２つのユーザの顔写真を並べて表示することで、表示装置３の前に立つユーザが、自身の顔の経時変化を確認することである。例えば、図１６の（ｂ）に示すように、本日撮影した顔写真２３２と、過去に撮影した顔写真２３１とを表示することで、ユーザは自身の顔の経時変化を確認できる。なお、２つの顔写真の撮影時期は特に限定されないが、現在と過去との比較を行うために、一方は本日撮影された顔写真であることが好ましい。また、過去の顔写真の撮影時期は特に限定されない。例えば本日の日付から１年前であってもよいし、３ヶ月前であってもよい。なお、過去の顔写真として表示する顔写真の撮影時期を、ユーザが自由に設定することができてもよい。
【０１９６】
定点比較画面は測定詳細画面と同様に、操作補助画像２２１、２２４、および２２５を含む。操作補助画像２２４は、ユーザが手を右方向に動かすジェスチャによって、血圧の測定詳細画面（図１６の（ａ）に示す画面）を表示することを示している。すなわち、図１６の（ａ）に示す測定詳細画面から図１６の（ｂ）に示す定点比較画面を表示するときのジェスチャと逆方向のジェスチャを行うことで、図１６の（ｂ）に示す定点比較画面から図１６の（ａ）に示す測定詳細画面を表示することができる。
【０１９７】
操作補助画像２２５は、ユーザが手を左方向に動かすジェスチャによって、その他の測定データ（図１６の（ｂ）の例では体脂肪）の詳細を示す測定詳細画面を表示することを示している。なお、本実施形態に係る表示装置３は、右方向または左方向のうちいずれか一方向に手を動かすジェスチャを続けることで、全ての測定詳細画面および定点比較画面が表示できる構成であるが、この例に限定されるものではない。
【０１９８】
トップ画面表示制御部１４２２は、トップ画面と同様に測定詳細画面および定点比較画面についても、サーバ４から取得した情報を用いて生成する。例えば、図１６の（ａ）に示す血圧および心拍数の測定詳細画面については、受信した血圧および心拍数の測定データおよび測定日を用いてグラフを描画する。また、図１６の（ｂ）に示す定点比較画面については、受信した２つの顔写真（例えば、撮影日が本日の顔写真および撮影日が１年前の顔写真）および当該顔写真の撮影日を用いて生成する。
【０１９９】
本実施形態に係る写真撮影部１４４は、トップ画面表示制御部１４２２から、写真撮影画面が表示されたことを示す通知を受けると、カメラ１３を制御して写真（表示装置３の前に立つユーザの顔写真）を撮影する。また、写真撮影部１４４は、通信部１９を介して、家族ＩＤ、サーバ４から受信したユーザＩＤとともに撮影した写真および撮影日をサーバ４に送信する。
【０２００】
設定部１４６は、表示装置３における各種設定を変更および保存する。具体的には、設定部１４６は、状態判定部１４１から設定の変更指示を受け取ると、当該指示に応じて設定を変更し保存する。設定部１４６は例えば、ユーザ特有情報１２５として表示する情報の設定の変更および保存を行う。なお、設定部１４６が変更および保存する設定はこの例に限定されるものではない。
（サーバ４の要部構成）
次に、図１４に基づいて、本実施形態に係るサーバ４の要部構成について説明する。サーバ４は、サーバ通信部４１、サーバ制御部４２、およびサーバ記憶部４３を備えている。
【０２０１】
サーバ通信部４１は、外部装置との通信を行う。例えばサーバ通信部４１は、図１４に示すように表示装置およびベースユニット５との通信を行う。
【０２０２】
サーバ記憶部４３は、サーバ４にて管理される各種データを記憶する。サーバ記憶部４３は、図１４に示すように、家族ＩＤによって識別されるグループ（家庭）ごとにユーザ情報データベース４３１、バイタル情報データベース４３２、および写真データベース４３３を記憶している。１つのグループには１人以上のユーザが登録されており、例えば１つのグループには１つの家族のメンバーが登録されている。つまり、図１４に示す家庭ＩＤがＦ０００１であるユーザ情報データベース４３１ａ、バイタル情報データベース４３２ａ、および写真データベース４３３ａは、ある家族のメンバーの各種データベースであり、家庭ＩＤがＦ０００２であるユーザ情報データベース４３１ｂ、バイタル情報データベース４３２ｂ、および写真データベース４３３ｂは、家庭ＩＤがＦ０００１である家族とは別の家族のメンバーの各種データベースである。
【０２０３】
なお、図１４には示していないが、サーバ記憶部４３は、家庭ごとに家庭基本情報と機器関連情報とを家庭ＩＤと対応付けて記憶している。
【０２０４】
家庭基本情報の一例としては、家庭ＩＤが示す家族のメンバーが居住する住宅のある住所、家族のメンバーの人数、各ユーザのユーザＩＤ、家庭の電話番号、表示装置３にて画像表示モードを有効にした時間（ログイン時間）などが挙げられる。
【０２０５】
機器関連情報の一例としては、登録された（データの受信が可能な）測定機器６のシリアル番号などが挙げられる。
【０２０６】
ユーザ情報データベース４３１には、家族のメンバーの個人情報が、各ユーザを識別するユーザＩＤと対応付けられて格納されている。個人情報の一例としては、ユーザのイニシャルおよびユーザの顔写真、各ユーザが測定する測定データの種類などが挙げられる。
【０２０７】
バイタル情報データベース４３２には、各測定機器６のシリアル番号、シリアル番号が示す測定機器６による測定結果（測定データ）、および測定日が対応付けられて、ユーザごとに記憶されている。
【０２０８】
写真データベース４３３には、ユーザＩＤ、ユーザＩＤが示すユーザの顔写真、および顔写真の撮影日が対応付けられて記憶されている。
【０２０９】
なお、サーバ記憶部４３に記憶されている情報、および各データベースに格納されている情報は上記の例に限定されない。例えば、ユーザ情報データベース４３１に各ユーザの年齢、性別などが格納されていてもよい。
【０２１０】
サーバ制御部４２は、サーバ４が備える各部を統括制御するものである。サーバ制御部４２は、データ管理部４２１、ユーザ特定部４２２、および表示情報取得部４２３を含む。
【０２１１】
データ管理部４２１は、表示装置３およびベースユニット５から受信した各種データをサーバ記憶部４３に記憶する。具体的には、データ管理部４２１は、表示装置３（写真撮影部１４４）から家族ＩＤ、ユーザＩＤ、顔写真、および撮影日を受信すると、受信した家族ＩＤの写真データベース４３３にユーザＩＤ、顔写真、および撮影日を対応付けて格納する。また、データ管理部４２１は、ベースユニット５から家族ＩＤ、ユーザＩＤ、測定データ、および測定日を受信すると、受信した家族ＩＤのバイタル情報データベース４３２にユーザＩＤ、測定データ、および測定日を対応付けて格納する。
【０２１２】
ユーザ特定部４２２は、表示装置３の前に立つユーザを特定する。具体的には、ユーザ特定部４２２は、表示装置３（状態判定部１４１）から家族ＩＤおよび撮影映像を受信すると受信した撮影映像と、受信した家族ＩＤのユーザ情報データベース４３１に格納されている顔写真と、を比較する。そして、撮影映像に映るユーザが特定できた場合、当該ユーザのユーザＩＤを表示装置３に送信する。一方、撮影映像に映るユーザが特定できなかった場合、その旨の通知を表示装置３に送信する。
【０２１３】
表示情報取得部４２３は、表示装置３の表示部１１に表示される情報を読み出し、表示装置３に送信する。具体的には、表示情報取得部４２３は、表示装置３（トップ画面表示制御部１４２２）から、家族ＩＤおよびユーザＩＤを受信すると、受信した家族ＩＤのユーザ情報データベース４３１に格納された、受信したユーザＩＤに対応付けられたイニシャルおよび顔写真を読み出す。また、受信したユーザＩＤと同じ家族ＩＤのユーザＩＤに対応付けられた顔写真も読み出す。さらに、表示情報取得部４２３は、バイタル情報データベース４３２から、受信したユーザＩＤに対応付けられた測定データおよび測定日を読み出す。また、受信したユーザＩＤと同じ家族ＩＤのユーザＩＤに対応付けられた測定データのうち、最新の測定データを読み出す。また、表示情報取得部４２３は、写真データベース４３３から、受信したユーザＩＤに対応付けられた顔写真のうち、定点比較に使用する２つの顔写真（例えば、撮影日が本日の顔写真および撮影日が１年前の顔写真）を撮影日とともに読み出す。そして、表示情報取得部４２３は、読み出したこれらの情報を表示装置３に送信する。
【０２１４】
（画面表示処理の流れ）
次に、図１７を参照して、表示装置３が実行する画面表示処理の流れについて説明する。図１７は、表示装置３が実行する画面表示処理の流れの一例を示すフローチャートである。なお、図１７に示すフローチャートは、人感センサ１５がユーザの存在を検知して、カメラ１３が撮影を開始した後の流れを示している。
【０２１５】
まず、状態判定部１４１は、撮影映像をサーバ４に送信する（Ｓ５１）。具体的には、状態判定部１４１は、撮影映像および家族ＩＤをサーバ４に送信する。次に、状態判定部１４１は、ユーザが家族のメンバーであるか否かを判定する（Ｓ５２）。具体的には、サーバ４から家族のメンバーを示すユーザＩＤをサーバ４から受信したか否かを判定する。
【０２１６】
ユーザＩＤをサーバ４から受信しなかった場合（Ｓ５２でＮＯ）、具体的には、ユーザが特定できなかった旨の通知を受信した場合、画面表示処理は終了する。
【０２１７】
一方、ユーザＩＤを受信した場合（Ｓ５２でＹＥＳ）、状態判定部１４１は、撮影映像を解析して、ユーザの静止状態を検出する（Ｓ５３）。ユーザの静止状態が検出できない場合（Ｓ５３でＮＯ）、状態判定部１４１はユーザが静止状態となっているか否かの検出を継続する。一方、ユーザの静止状態を検出した場合（Ｓ５３でＹＥＳ）、状態判定部１４１は、動画表示制御部１４２１にスキャンバー２１（図３参照）の表示を開始するよう指示する。
【０２１８】
動画表示制御部１４２１は、状態判定部１４１からの指示を受けて、スキャンバー２１の動画を表示する（Ｓ５４）。ここで、状態判定部１４１は、動画表示制御部１４２１にスキャンバー２１の表示を指示した後も、スキャンバー２１の表示が終了したことの通知を受けるまで、取得した映像にてユーザが静止しているか否かの判定を継続している。そして状態判定部１４１は、動画が終了するまで、ユーザが静止していたか否かを判定する（Ｓ５５）。
【０２１９】
ここで、動画表示制御部１４２１からの通知を受ける前に、映像にてユーザが動いたと判定した場合（Ｓ５５でＮＯ）、状態判定部１４１は、スキャンバー２１を非表示とするよう動画表示制御部１４２１に指示する。動画表示制御部１４２１は、当該指示を受けて、スキャンバー２１の動画を途中で終了する（Ｓ５７）。そして状態判定部１４１は、ステップＳ５３の処理に戻り、カメラ１３からリアルタイムで取得している撮影映像にてユーザの静止状態の検出を行う。
【０２２０】
これに対して、動画が終了するまでユーザが静止していたと判定した場合（Ｓ５５でＹＥＳ）、すなわち、動画表示制御部１４２１からスキャンバー２１の表示が終了した旨の通知を受けるまで、映像にてユーザが静止していたと判定した場合、状態判定部１４１は、トップ画面表示制御部１４２２に画像表示モードを有効にするよう指示するとともに、受信したユーザＩＤをトップ画面表示制御部１４２２に出力する。
【０２２１】
状態判定部１４１から画像表示モードを有効にするように指示されたトップ画面表示制御部１４２２は、家族ＩＤおよび状態判定部１４１から受け取ったユーザＩＤをサーバ３４に送信する。そして、サーバ４からトップ画面を生成するための各種情報を受信すると、表示面に、特定したユーザに応じた家族情報を含むトップ画面を表示させる（Ｓ５６）。具体的には、トップ画面表示制御部１４２２は、特定したユーザと同じ家族ＩＤのユーザの顔写真、測定データ、および測定日を用いて家族情報１２４を生成する。これにより、トップ画面に表示される家族情報１２４は、特定されたユーザを除く家族のメンバーの顔写真を含むものとなる。また、トップ画面表示制御部１４２２は、受信した各種情報および設定部１４６が保存している各種設定を用いて、ユーザ識別情報１２２、測定結果情報１２３、ユーザ特有情報１２５を生成する。そして、トップ画面表示制御部１４２２は、生成した家族情報１２４などを含むトップ画面を生成し、表示部１１に表示させる。以上で、画面表示処理は終了する。
【０２２２】
なお、本実施形態では、スキャンバー２１の動画を表示する前にユーザが家族のメンバーであるか否かを判定するものとして説明したが、当該判定は、スキャンバー２１の動画を表示している間または表示が終了した後に行ってもよい。
【０２２３】
（実施形態８における変形例）
本実施形態では、サーバ４がサーバ制御部４２を備えている例を説明したが、サーバ４はサーバ通信部４１およびサーバ記憶部４３のみを備えている構成であってもよい。つまり、データ管理部４２１、ユーザ特定部４２２、および表示情報取得部４２３の機能を有する部材を、表示装置３およびベースユニット５の少なくとも一方が備えていてもよい。例えば、表示装置３がユーザ特定部４２２を備え、状態判定部１４１から受け取った撮影映像と、サーバ４のユーザ情報データベース４３１から取得した顔写真とを比較して、ユーザを特定してもよいし、撮影映像と比較する顔写真は、表示装置３に記憶されていてもよい。撮影映像と比較する顔写真を表示装置３に記憶しておくことで、サーバ４との通信を行う必要が無くなるので、ユーザ特定にかかる時間を短縮できる。
【０２２４】
また、本実施形態では、表示装置３から家族ＩＤと撮影映像とを送信することで、サーバ４が、受信した家族ＩＤのユーザ情報データベース４３１に格納されている顔写真と撮影映像とを比較する構成を説明したが、サーバ４は、撮影映像のみを受信して、サーバ記憶部４３全体を検索して、一致する顔写真があるか否かを特定してもよい。これにより、どの表示装置３においても、ユーザを特定することが可能となる。よって、自宅以外に備えられた表示装置３でも、ユーザ自身およびユーザの家族の健康状態を表示することが可能となる。
【０２２５】
また、本実施形態では、ユーザを特定し（表示装置３の前に立つユーザが予め登録されたメンバーに含まれることを確認し）、かつユーザが静止状態を所定時間継続したことを確認した後に、トップ画面に含まれる形で家族情報１２４を表示する構成を説明したが、家族情報１２４の表示方法は、この例に限定されない。
【０２２６】
例えば、表示装置３は家族情報１２４を常に表示していてもよい。これにより、ユーザは常に家族情報１２４を確認することができる。
【０２２７】
家族情報１２４を常に表示する場合、表示装置３は、ユーザが表示装置３の前に存在しないとき、または表示装置３の前に立つユーザが静止状態を所定時間継続する前には、家族のメンバー全員の家族情報１２４を表示し、表示装置３の前に立つユーザが静止状態を所定時間継続した後には、当該ユーザを除く家族のメンバーの家族情報１２４を、トップ画像に含まれる形で表示することが好ましい。これは、トップ画面において、表示装置３の前に立つユーザの情報は、ユーザ識別情報１２２および測定結果情報１２３として表示されるためである。また、家族情報１２４を常に表示する場合、表示装置３は、ユーザが特定できないとき、すなわち、家族のメンバー以外のユーザが表示装置３の前に立ったときには、家族情報１２４を表示しないようにしてもよい。
【０２２８】
一方、家族情報１２４を、常に表示するのではなく、ユーザを特定できた後にのみ表示するようにすれば、家族の測定状況や健康状態といった個人情報が家族以外のユーザに対して表示されることが無くなる。よって、これらの個人情報が他人に漏洩することを防ぐことができる。
【０２２９】
ここで、ユーザを特定できた後、かつ、ユーザが静止状態を所定時間継続する前に家族情報１２４を表示するようにすれば、ユーザによるトップ画面の表示の指示が確定する前に、家族情報１２４のみを先行して表示することができる。
【０２３０】
これに対して、実施形態８にて説明したように、ユーザを特定できた後、かつ、ユーザが静止状態を所定時間継続した後に家族情報１２４を表示すれば、ユーザがトップ画面の表示を希望したときのみ、家族情報１２４をユーザに示すことができる。
【０２３１】
なお、家族情報１２４の表示方法については、ユーザが設定可能であってもよい。具体的には、ユーザの操作に応じて、設定部１４６が設定を上述した表示方法のいずれかに変更し、変更後の設定を保存してもよい。
【０２３２】
また、本実施形態では、表示装置３の前に立つユーザの、測定機器６による測定状況、および家族のメンバーの測定状況を表示する構成であったが、表示装置３に表示する情報は、ユーザおよびユーザが属するグループのメンバーに関する情報であれば特に限定されない。例えば、ユーザおよび家族のメンバーの位置情報を表示するものであってもよい。
【０２３３】
〔実施形態１〜８における変形例〕
上記各実施形態で説明した表示装置１〜３が判定する所定の状態は、上記各実施形態で説明した例（静止状態、表示装置に顔を映さない状態、および所定の位置または画像に目線を向けている状態）に限定されるものではない。例えば、全身ではなく、顔などのユーザの体の所定部位を静止させた状態であってもよい。
【０２３４】
また、上記各実施形態で説明した表示装置１〜３は、カメラ１３が撮影した映像から、ユーザが所定の状態を所定時間継続していることを検出していたが、所定の状態の検出方法はこの例に限定されるものではない。例えばユーザの接触を検出するセンサや、ユーザの体重やユーザの重心位置の変化を検出するセンサ（表示装置１が備えられた床に設置される）を用いて、ユーザが所定の状態を所定時間継続していることを検出してもよい。
【０２３５】
また、上記各実施形態で説明した表示装置１〜３が実行する所定の処理は、上記各実施形態で説明した例に限定されるものではない。例えば、所定の状態を所定時間継続したと判定した場合に、表示装置の前に立つユーザの識別を行ってもよい。また、所定の状態を所定時間継続したと判定した場合に、所定の動画を表示してもよい。例えば、ユーザが歯ブラシを持った状態、または、片方の手をあごに近づけた状態（歯磨きを始めようとしている状態）で所定時間静止したと判定した場合に、歯磨きの指導を行う動画を再生してもよい。
【０２３６】
実施形態１では、所定時間の終了（動画の終了）を動画表示制御部１４２１が状態判定部１４１に通知する構成であったが、状態判定部１４１が所定時間の終了を判断する構成であってもよい。具体的には、状態判定部１４１は、ユーザが所定の状態であると判定した場合、タイマ（不図示）を起動して期間の計測を開始する。そして、タイマが計測した期間が所定時間を超えた場合、状態判定部１４１は、トップ画面表示制御部１４２２に画像表示モードを有効にするよう指示する。
【０２３７】
なお、タイマが計測した期間が所定時間を超える前に、ユーザが所定の状態を解除した場合、状態判定部１４１は、タイマによる期間の計測を中止する。また、所定時間は動画表示制御部１４２１が表示面に表示させる動画（実施形態１で説明したスキャンバー２１や、実施形態２で説明したカウントダウン動画２５）の時間と同じになるように予め設定されている。
【０２３８】
また、上記各実施形態で説明した表示装置１〜３は、ユーザが所定の状態を継続しているか否かを判定している間に、表示面に動画を表示せず、ユーザが所定の状態を所定時間継続したときに、所定の処理を実行してもよい。
【０２３９】
また、上記各実施形態で説明した表示装置１〜３は、ユーザが所定の状態を解除した場合に、動画を非表示とせず、一時的に停止してもよい。そして、状態判定部１４１が、ユーザが所定の状態を再開したと判定した場合、動画を再開してもよい。
【０２４０】
また、上記各実施形態で説明した表示装置１〜３は、ユーザが所定の状態を継続しているか否かをユーザに報知するために動画を表示していたが、この報知の方法は動画に限定されない。例えば、スピーカ（不図示）から音（効果音、音楽、または音声など）を出力してもよいし、発光部（不図示）を点灯させてもよい。また、音や点灯などによる報知を、動画の表示と共に行ってもよい。なお、動画以外の報知についても、所定の処理を実行するためにユーザが所定の状態を維持すべき時間をユーザが認識できるようなものであることが好ましい。
【０２４１】
〔実施形態９〕
上記実施形態８では、１つのサーバ４を用いる例を説明したが、サーバ４の有する各機能が、個別のサーバにて実現されていてもよい。そして、複数のサーバを適用する場合においては、各サーバは、同じ事業者によって管理されていてもよいし、異なる事業者によって管理されていてもよい。
【０２４２】
〔実施形態１０〕
上記各実施形態で説明した表示装置１、表示装置２、表示装置３、およびサーバ４のそれぞれにおける各ブロック（特に、状態判定部１４１、表示制御部１４２、個人特定部１４３、写真撮影部１４４、バイタルデータ測定部１４５、設定部１４６、データ管理部４２１、ユーザ特定部４２２、および表示情報取得部４２３）は、集積回路（ＩＣチップ）等に形成された論理回路（ハードウェア）によって実現してもよいし、ＣＰＵ（Central Processing Unit）を用いてソフトウェアによって実現してもよい。後者の場合、表示装置１、表示装置２、表示装置３、およびサーバ４のそれぞれを、図１８に示すようなコンピュータ（電子計算機）を用いて構成することができる。
【０２４３】
図１８は、表示装置１、表示装置２、表示装置３、およびサーバ４として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、カメラなどであってもよく、出力装置９３０は、ディスプレイ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０２４４】
補助記憶装置９１４には、コンピュータ９１０を表示装置１、表示装置２、表示装置３、およびサーバ４として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示装置１、表示装置２、表示装置３、およびサーバ４が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０２４５】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０２４６】
〔まとめ〕
本発明の態様１に係る表示装置（１）は、反射面側からの光を反射し、透過面側からの光を透過するハーフミラー部（ハーフミラー１２）を、上記透過面が表示面に対向するように、表示面上に重ねて配置した表示装置において、上記ハーフミラー部の前に存在するユーザが所定の状態を所定時間継続していることを検出する検出部（状態判定部１４１）と、上記検出部が、上記所定の状態が上記所定時間継続していることを検出したとき、上記所定の状態に予め対応付けられた所定の処理を実行する処理実行部（トップ画面表示制御部１４２２、写真撮影部１４４）と、を備える。
【０２４７】
上記の構成によれば、ハーフミラー部の前に存在するユーザが所定の状態を所定時間継続していることが検出された場合、所定の処理を実行する。この所定の処理は例えば、表示面への画像の表示の開始および終了や、ハーフミラー部の前に存在するユーザの顔写真の撮影などが挙げられる。
【０２４８】
つまり、ユーザが表示装置に対して所定の処理の実行を希望する場合、所定の状態を所定時間継続することで当該所定の処理が実行される。一方、ユーザは表示装置に対して所定の処理の実行を希望しない場合、所定の状態を所定時間継続しなければよい。これにより、表示装置が備える鏡の前に存在するユーザが、表示装置に対して所定の処理の実行を希望する場合に表示装置に当該所定の処理を実行させることができる。
【０２４９】
また、ユーザは所定の処理を実行させるために所定の状態となった後、心変わりして所定の処理をキャンセルしたい場合は、所定時間が経過する前に所定の状態を解除すればよい。つまり、所定の状態を所定時間継続していることを検出する構成とすることで、ユーザに所定の処理の実行をするか否かを考えるための時間を与えることができる。
【０２５０】
なお、所定の状態を、ユーザが全身または体の所定部位を静止させた静止状態などの、ユーザがハーフミラー部に触れないようなものとすれば、ハーフミラー部に指紋がついて汚れてしまうことを防ぐことができる。
【０２５１】
本発明の態様２に係る表示装置は、上記態様１において、上記ユーザが上記所定の状態を継続していることおよび継続していないことの少なくとも一方を該ユーザに報知する報知部（表示制御部１４２）をさらに備えてもよい。
【０２５２】
上記の構成によれば、ユーザが所定の状態を継続していることおよび継続していないことの少なくとも一方をユーザに報知するので、ユーザは自身が所定の状態を継続しているか否かを認識することができる。
【０２５３】
報知の具体例としては、動画の表示や音声の出力が挙げられる。音声の出力によって報知する場合、ユーザが表示装置の方向を向いていなくても、所定の状態が継続しているか否かをユーザは判別可能となる。これは、例えば所定の状態が表示装置に顔を映さない状態（ユーザが表示面を見ることができない状態）である場合などに有効である。
【０２５４】
本発明の態様３に係る表示装置は、上記態様２において、上記報知部は、上記ユーザが上記状態を継続していることを報知している場合、上記所定時間に達するまでに上記ユーザが上記所定の状態を継続すべき残り時間を報知してもよい。
【０２５５】
上記の構成によれば、所定時間に達するまでにユーザが所定の状態を継続すべき残り時間をユーザに報知するので、ユーザはあとどれだけの間所定の状態を継続すればよいかを知ることができる。
【０２５６】
本発明の態様４に係る表示装置は、上記態様２または３において、上記報知部は、上記ユーザが上記所定の状態を継続していることを示す情報および継続していないことを示す情報およびの少なくとも一方を上記表示面に表示してもよい。
【０２５７】
上記の構成によれば、ユーザが所定の状態を継続していることを示す情報および継続していないことを示す情報の少なくとも一方を表示面に表示する。
【０２５８】
当該情報の表示はハーフミラー部を透過して、ユーザによる認識が可能である。よってユーザは、ハーフミラー部に目線を向けるという自然な動作で、自身が所定の状態を継続しているか否かを知ることができる。
【０２５９】
本発明の態様５に係る表示装置は、上記態様１から４のいずれかにおいて、上記所定の処理は、上記表示面への所定の情報の表示を開始する処理、または上記表示面への所定の情報の表示を終了する処理であってもよい。
【０２６０】
上記の構成によれば、ユーザが所定の状態を所定時間継続した場合、表示面への所定の情報の表示が開始される。また、所定の情報が表示されているときにユーザが所定の状態を所定時間継続した場合、該表示が終了する。なお、所定の情報の具体例としては、心拍数、呼吸数、疲労度、体温などのユーザのバイタルデータや、本日のスケジュール、本日のニュース、電車の時刻表や、家庭内のエネルギー管理システムや、防犯システムの状態などが挙げられる。
【０２６１】
これにより、ユーザは所定の情報を表示することを希望する場合に、該情報を自身の意思で表示させることができる。また、所定の情報が表示されている状態のときに、ユーザが所定の情報の表示の終了を希望する場合、ユーザは該情報の表示を自身の意思で終了することができる。
【０２６２】
本発明の態様６に係る表示装置は、上記態様１から５のいずれかにおいて、上記検出部は、上記ユーザを撮影した映像から、該ユーザが上記所定の状態を継続していることを検出し、上記映像を用いて上記ユーザを特定するユーザ特定部（個人特定部１４３）をさらに備えてもよい。
【０２６３】
上記の構成によれば、ユーザを撮影した映像から、ユーザが所定の状態を継続していることを検出するとともに、当該映像を用いてユーザを特定することができる。これにより、個人的な情報、例えば特定したユーザの体重などの情報を表示することができる。
【０２６４】
また、撮影した映像を用いて、所定の状態をユーザが所定時間継続しているか否かの判定、および、当該ユーザの特定の両方を行うことができる。よって、使用するデータの容量を抑えることができる。
【０２６５】
本発明の態様７に係る表示装置は、上記態様１から６のいずれかにおいて、上記所定の状態は、ユーザが全身または体の所定部位を静止させた静止状態であり、上記所定時間中に上記ユーザのバイタルデータを測定する測定部（バイタルデータ測定部１４５）をさらに備えてもよい。
【０２６６】
上記の構成によれば、ユーザが静止状態を継続している間を利用して、ユーザのバイタルデータを測定する。
【０２６７】
これにより、ユーザのバイタルデータ、例えば心拍数、呼吸数、疲労度、体温などを、当該バイタルデータを測定していることをユーザに意識させずに測定することができる。また、測定結果を表示装置に表示することで、ユーザの日々の健康管理に有用なデータをユーザに提示することができる。
【０２６８】
本発明の態様８に係る表示装置は、上記態様１から６のいずれかにおいて、上記所定の状態は、上記ハーフミラー部の表面の所定の位置に目線が向いている状態であってもよい。
【０２６９】
上記の構成によれば、ハーフミラー部の表面の所定の位置に目線が向いている状態を所定時間継続した場合に、所定の処理が実行される。
【０２７０】
これにより、ユーザは所定の位置に目線を向けることで、所定の処理を実行したいという意思を明確に示すことができるので、ユーザが所定の処理を希望している可能性が高い状況において、所定の処理を実行することができる。
【０２７１】
なお、上記所定の位置を表示面の端部などのユーザが普段目線を向けないような位置とすることで、ユーザが所定の処理を希望している可能性がさらに高い状況において、所定の処理を実行することができる。
【０２７２】
また、所定の位置に上記表示面に対象が表示されていてもよい。さらに、当該対象は静止したままであってもよいし、移動してもよい。なお、対象が移動する場合、「表示面の所定の位置に目線が向いている」とは、移動する対象をユーザの目線が追うことを意味する。
【０２７３】
本発明の態様９に係る表示装置は、上記態様１から８において、自装置を使用するユーザが属するグループの各メンバーの情報を上記表示面に表示するメンバー情報表示部（トップ画面表示制御部１４２２）を備えてもよい。
【０２７４】
上記の構成によれば、自装置を使用するユーザが属するグループのメンバーの情報を表示するので、ユーザは、グループのその他のメンバーの情報を確認することができる。例えば、家族のメンバーが属するグループについて、メンバーの情報としてバイタルデータを測定する機器を用いた測定状況（本日の測定の達成度合い）を表示する構成とすれば、家族のメンバーの測定の達成度合いを把握することができる。これにより、家族の健康状態を互いに確認したり、健康状態に問題があるユーザを発見したりすることが可能となる。
【０２７５】
本発明の態様１０に係る表示装置は、上記態様９において、上記メンバー情報表示部は、上記検出部が、上記グループに属するメンバーが上記ハーフミラー部の前で上記所定の状態を所定時間継続していることを検出したとき、上記グループの各メンバーの情報を表示してもよい。
【０２７６】
上記の構成によれば、グループに属するメンバーがハーフミラー部の前で所定の状態を所定時間継続していることを検出したとき、当該グループの各メンバーの情報を表示する。つまり、ハーフミラー部の前に存在するユーザがグループに属するメンバーでない場合は、所定の状態を所定時間継続したとしても、グループに属する各メンバーの情報は表示されない。よって、メンバーの情報がメンバー以外のユーザに漏洩することを防ぐことができる。
【０２７７】
本発明の態様１１に係る表示装置の制御方法は、反射面側からの光を反射し、透過面側からの光を透過するハーフミラー部を、上記透過面が表示面に対向するように、表示面上に重ねて配置した表示装置の制御方法において、上記ハーフミラー部の前に存在するユーザが所定の状態を所定時間継続していることを検出する検出ステップ（ステップＳ５）と、上記検出ステップにて、上記所定の状態が上記所定時間継続していることを検出したとき、上記所定の状態に予め対応付けられた所定の処理を実行する処理実行ステップ（ステップＳ７）と、を含む。
【０２７８】
この制御方法によれば、態様１に係る表示装置と同様の作用効果を有する。
【０２７９】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、およびそれを記録したコンピュータ読み取り可能な記録媒体も、本発明の範疇に入る。
【０２８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２８１】
本発明は、ハーフミラーを備えたミラー機能付きの表示装置に利用することができる。
【符号の説明】
【０２８２】
１  表示装置
２  表示装置
１２  ハーフミラー（ハーフミラー部）
１４１  状態判定部（検出部）
１４３  個人特定部（ユーザ特定部）
１４４  写真撮影部（処理実行部）
１４５  バイタルデータ測定部（測定部）
１４２１  動画表示制御部（報知部）
１４２２  トップ画面表示制御部（処理実行部、メンバー情報表示部）
Ｓ５  検出ステップ
Ｓ７  処理実行ステップ
【図１】
2016161835.tif 000003
【図２】
2016161835.tif 000004
【図３】
2016161835.tif 000005
【図４】
2016161835.tif 000006
【図５】
2016161835.tif 000007
【図６】
2016161835.tif 000008
【図７】
2016161835.tif 000009
【図８】
2016161835.tif 000010
【図９】
2016161835.tif 000011
【図１０】
2016161835.tif 000012
【図１１】
2016161835.tif 000013
【図１２】
2016161835.tif 000014
【図１３】
2016161835.tif 000015
【図１４】
2016161835.tif 000016
【図１５】
2016161835.tif 000017
【図１６】
2016161835.tif 000018
【図１７】
2016161835.tif 000019
【図１８】
2016161835.tif 000020